(57)【要約】【課題】ユーザに不快感を与える可能性を低減することが可能な、表示制御装置、表示制御方法、およびプログラムを提供する。【解決手段】ユーザの前方に表示オブジェクトを表示することが可能な表示面が位置するようにユーザに装着される表示装置における、表示面に表示される表示オブジェクトの表示を制御する表示制御部を備え、表示制御部は、表示面に表示される表示オブジェクトを、表示オブジェクトに対応する基準位置から、表示装置の動きに応じて移動させて表示させ、移動させた表示オブジェクトを、移動後の位置から基準位置へと移動させて表示させる、表示制御装置が提供される。【選択図】図１７
2014197066.tif 000002
【特許請求の範囲】
【請求項１】
ユーザの前方に表示オブジェクトを表示することが可能な表示面が位置するように前記ユーザに装着される表示装置における、前記表示面に表示される表示オブジェクトの表示を制御する表示制御部を備え、
前記表示制御部は、
前記表示面に表示される表示オブジェクトを、前記表示オブジェクトに対応する基準位置から、前記表示装置の動きに応じて移動させて表示させ、
移動させた前記表示オブジェクトを、移動後の位置から前記基準位置へと移動させて表示させる、表示制御装置。
【請求項２】
前記表示制御部は、
前記表示面に表示される表示オブジェクトを、前記基準位置から、前記表示装置の動きが検出された軸方向と逆の方向に移動させて表示させ、
移動させた前記表示オブジェクトを、移動後の位置から前記基準位置へと移動させて表示させる、請求項１に記載の表示制御装置。
【請求項３】
動きが検出される前記軸方向は、ヨー方向、ピッチ方向、ロール方向であり、
前記表示制御部は、前記軸方向ごとの設定に基づいて、移動させた前記表示オブジェクトを、前記軸方向ごとに選択的に前記移動後の位置から前記基準位置へと移動させる、請求項２に記載の表示制御装置。
【請求項４】
前記表示制御部は、動きが検出された前記軸方向が前記ロール方向である場合には、移動させた前記表示オブジェクトを、前記移動後の位置から前記基準位置へと移動させない、請求項３に記載の表示制御装置。
【請求項５】
動きが検出される前記軸方向が、ロール方向である場合、
前記表示制御部は、
検出された動きによる、傾き方向と傾き量とを算出し、
前記表示オブジェクトを、算出された傾き方向とは反対方向に、算出された傾き量分回転させて、前記表示オブジェクトを移動させる、請求項４に記載の表示制御装置。
【請求項６】
前記表示制御部は、前記表示オブジェクトを移動させる場合、前記基準位置、算出された前記傾き量のうちの、一方、または、双方に基づいて、前記表示オブジェクトを移動させる速度を変える、請求項５に記載の表示制御装置。
【請求項７】
動きが検出される前記軸方向が、ヨー方向、または、ピッチ方向である場合、
前記表示制御部は、
検出された動きによる、動き方向と動き量を算出し、
前記表示オブジェクトを、前記基準位置から、算出された動き方向とは反対方向に、算出された動き量分移動させて、前記表示オブジェクトを移動させ、
前記表示オブジェクトが算出された動き量分移動されると、移動後の位置から前記基準位置へと、前記表示オブジェクトを移動させる、請求項２に記載の表示制御装置。
【請求項８】
前記表示制御部は、算出された前記動き量と、所定の閾値とを比較し、比較結果に応じて前記表示オブジェクトを移動させる、請求項７に記載の表示制御装置。
【請求項９】
前記表示制御部は、前記表示オブジェクトを移動させる場合、前記基準位置、前記表示オブジェクトが表示される位置、算出された前記動き量のうちの、１または２以上に基づいて、前記表示オブジェクトを移動させる速度を変える、請求項７に記載の表示制御装置。
【請求項１０】
前記表示制御部は、前記表示オブジェクトを移動させる速度を、設定されている重み付け係数により調整する、請求項６に記載の表示制御装置。
【請求項１１】
前記表示制御部は、表示オブジェクトごとに、検出された動きに応じて前記表示オブジェクトが移動する移動量を変える、請求項１に記載の表示制御装置。
【請求項１２】
前記表示制御部は、前記表示オブジェクトに設定されている属性に基づいて、表示オブジェクトごとに、検出された動きに応じて前記表示オブジェクトが移動する移動量を変える、請求項１１に記載の表示制御装置。
【請求項１３】
前記表示制御部は、検出された動きに応じた前記移動量が小さな表示オブジェクトほど、前記表示オブジェクトを小さく表示させる、請求項１１に記載の表示制御装置。
【請求項１４】
前記表示制御部は、検出された動きに応じた前記移動量が小さな表示オブジェクトほど、前記表示オブジェクトの透過度を高くする、請求項１１に記載の表示制御装置。
【請求項１５】
前記表示オブジェクトには、検出された動きに応じた移動が許可される第１表示オブジェクトと、検出された動きに応じた移動が許可されない第２表示オブジェクトとが含まれ、
動きが検出された場合、
前記表示制御部は、前記第１表示オブジェクトを検出された動きに応じて移動させ、前記第２表示オブジェクトは移動させない、請求項１に記載の表示制御装置。
【請求項１６】
動きが検出される前記軸方向は、前記表示装置を装着した前記ユーザにおける前後方向を含み、
前記表示制御部は、動きが検出された前記軸方向が前記ユーザにおける前後方向である場合には、検出された動きに応じて前記表示オブジェクトの表示サイズを、基準サイズから変更する、請求項２に記載の表示制御装置。
【請求項１７】
前記表示制御部は、前記表示オブジェクトの表示サイズが変更されると、変更された前記表示オブジェクトの表示サイズを、前記基準サイズに変更する、請求項１６に記載の表示制御装置。
【請求項１８】
前記表示制御部は、前記表示オブジェクトが配置される位置と、検出された動きとに基づいて、前記表示オブジェクト間の間隔を変える、請求項１に記載の表示制御装置。
【請求項１９】
ユーザの前方に表示オブジェクトを表示することが可能な表示面が位置するように前記ユーザに装着される表示装置における、前記表示面に表示される表示オブジェクトの表示を制御するステップを有し、
前記制御するステップでは、
前記表示面に表示される表示オブジェクトを、前記表示オブジェクトに対応する基準位置から、前記表示装置の動きに応じて移動させて表示させ、
移動させた前記表示オブジェクトを、移動後の位置から前記基準位置へと移動させて表示させる、表示制御方法。
【請求項２０】
ユーザの前方に表示オブジェクトを表示することが可能な表示面が位置するように前記ユーザに装着される表示装置における、前記表示面に表示される表示オブジェクトの表示を制御するステップを、コンピュータに実行させ、
前記制御するステップでは、
前記表示面に表示される表示オブジェクトを、前記表示オブジェクトに対応する基準位置から、前記表示装置の動きに応じて移動させて表示させ、
移動させた前記表示オブジェクトを、移動後の位置から前記基準位置へと移動させて表示させる、プログラム。
【発明の詳細な説明】
【技術分野】
【０００１】
本開示は、表示制御装置、表示制御方法、およびプログラムに関する。
【背景技術】
【０００２】
例えばヘッドマウントディスプレイ（Head  Mounted  Display。以下、「ＨＭＤ」と示す場合がある。）のように、ユーザの前方に表示面が位置するようにユーザに装着される表示装置が開発されている。ＨＭＤに関する技術としては、例えば、下記の特許文献１に記載の技術が挙げられる。
【先行技術文献】
【特許文献】
【０００３】
【特許文献１】特開２０１１−２４９９０６号公報
【発明の概要】
【発明が解決しようとする課題】
【０００４】
例えばＨＭＤのように、ユーザの前方に表示面が位置するようにユーザに装着される表示装置では、アイコンなどの表示オブジェクトが当該表示面に表示される。しかしながら、例えば、表示面において常に静止したアイコンが表示される場合など、表示オブジェクトが常に表示面の固定した位置に表示される場合には、視界が遮られているような不快感をユーザに与えてしまう恐れがある。
【０００５】
本開示では、ユーザに不快感を与える可能性を低減することが可能な、新規かつ改良された表示制御装置、表示制御方法、およびプログラムを提案する。
【課題を解決するための手段】
【０００６】
本開示によれば、ユーザの前方に表示オブジェクトを表示することが可能な表示面が位置するように上記ユーザに装着される表示装置における、上記表示面に表示される表示オブジェクトの表示を制御する表示制御部を備え、上記表示制御部は、上記表示面に表示される表示オブジェクトを、上記表示オブジェクトに対応する基準位置から、上記表示装置の動きに応じて移動させて表示させ、移動させた上記表示オブジェクトを、移動後の位置から上記基準位置へと移動させて表示させる、表示制御装置が提供される。
【０００７】
また、本開示によれば、ユーザの前方に表示オブジェクトを表示することが可能な表示面が位置するように上記ユーザに装着される表示装置における、上記表示面に表示される表示オブジェクトの表示を制御するステップを有し、上記制御するステップでは、上記表示面に表示される表示オブジェクトを、上記表示オブジェクトに対応する基準位置から、上記表示装置の動きに応じて移動させて表示させ、移動させた上記表示オブジェクトを、移動後の位置から上記基準位置へと移動させて表示させる、表示制御方法が提供される。
【０００８】
また、本開示によれば、ユーザの前方に表示オブジェクトを表示することが可能な表示面が位置するように上記ユーザに装着される表示装置における、上記表示面に表示される表示オブジェクトの表示を制御するステップを、コンピュータに実行させ、上記制御するステップでは、上記表示面に表示される表示オブジェクトを、上記表示オブジェクトに対応する基準位置から、上記表示装置の動きに応じて移動させて表示させ、移動させた上記表示オブジェクトを、移動後の位置から上記基準位置へと移動させて表示させる、プログラムが提供される。
【発明の効果】
【０００９】
本開示によれば、ユーザに不快感を与える可能性を低減することができる。
【図面の簡単な説明】
【００１０】
【図１】本実施形態に係る表示装置の一例を示す説明図である。
【図２】本実施形態に係る表示制御装置における、本実施形態に係る表示制御処理の第１の例を説明するための説明図である。
【図３】本実施形態に係る表示制御装置における、本実施形態に係る表示制御処理の第１の例を説明するための説明図である。
【図４】本実施形態に係る表示制御装置における、本実施形態に係る表示制御処理の第１の例を説明するための説明図である。
【図５】本実施形態に係る表示制御装置における、本実施形態に係る表示制御処理の第２の例を説明するための説明図である。
【図６】本実施形態に係る表示制御装置における、本実施形態に係る表示制御処理の第３の例を説明するための説明図である。
【図７】本実施形態に係る表示制御装置における、本実施形態に係る表示制御処理の第３の例を説明するための説明図である。
【図８】本実施形態に係る表示制御装置における、本実施形態に係る表示制御処理の第３の例を説明するための説明図である。
【図９】本実施形態に係る表示制御装置における、本実施形態に係る表示制御処理の第３の例を説明するための説明図である。
【図１０】本実施形態に係る表示制御装置における、本実施形態に係る表示制御処理の第５の例を説明するための説明図である。
【図１１】本実施形態に係る表示制御装置における、本実施形態に係る表示制御処理の第５の例を説明するための説明図である。
【図１２】本実施形態に係る表示制御装置における、本実施形態に係る表示制御処理の第６の例を説明するための説明図である。
【図１３】本実施形態に係る表示制御装置における、本実施形態に係る表示制御処理の第７の例を説明するための説明図である。
【図１４】本実施形態に係る表示制御装置における、本実施形態に係る表示制御処理の第８の例を説明するための説明図である。
【図１５】本実施形態に係る表示制御装置における、本実施形態に係る表示制御処理の第９の例を説明するための説明図である。
【図１６】本実施形態に係る表示制御装置における、本実施形態に係る表示制御処理の第１０の例を説明するための説明図である。
【図１７】本実施形態に係る表示制御装置の構成の一例を示すブロック図である。
【図１８】本実施形態に係る表示制御装置のハードウェア構成の一例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
また、以下では、下記に示す順序で説明を行う。
１．本実施形態に係る表示制御方法
２．本実施形態に係る表示制御装置
３．本実施形態に係るプログラム
【００１３】
（本実施形態に係る表示制御方法）
本実施形態に係る表示制御装置の構成について説明する前に、まず、本実施形態に係る表示制御方法について説明する。以下では、本実施形態に係る表示制御装置が、本実施形態に係る表示制御方法に係る処理を行う場合を例に挙げて、本実施形態に係る表示制御方法について説明する。
【００１４】
［１］本実施形態に係る表示装置の一例
まず、本実施形態に係る表示制御方法に係る処理によって本実施形態に係る表示制御装置により制御される、本実施形態に係る表示装置の構成の一例について説明する。なお、本実施形態に係る表示制御装置と本実施形態に係る表示装置とは、例えば、別体の装置であってもよいし、一体の装置であってもよい。本実施形態に係る表示制御装置と本実施形態に係る表示装置とが一体の装置である場合、本実施形態に係る表示制御装置は、自装置（本実施形態に係る表示制御装置）を制御することとなる。
【００１５】
図１は、本実施形態に係る表示装置の一例を示す説明図である。本実施形態に係る表示装置は、例えば、ユーザの前方に表示面が位置するようにユーザに装着される。ここで、図１に示すＡは、ＨＭＤの一例を示しており、図１に示すＢは、ＨＭＤの他の例を示している。
【００１６】
本実施形態に係る表示装置は、例えば、表示部１０を有する。また、本実施形態に係る表示装置は、例えば図１のＡ、図１のＢに示すように、テンプル部材１２や、ブリッジ部材１４、モダン部材１６、パッド部材１８の１または２以上の部材など、様々な部材で構成される。
【００１７】
また、本実施形態に係る表示装置は、例えば、加速度センサや、ジャイロセンサ、地磁気センサなど、本実施形態に係る表示装置の動きを検出することが可能な、１または２以上のセンサを備えていてもよい。なお、本実施形態に係る表示装置の動きを検出することが可能なセンサは、上記に示す例に限られない。例えば、本実施形態に係る表示装置の動きを検出することが可能なセンサとしては、本実施形態に係る表示装置を装着しているユーザを撮像した撮像画像を解析し、当該ユーザの動きから本実施形態に係る表示装置の動きを検出する画像センサなど、本実施形態に係る表示装置の動きを検出することが可能な任意のセンサが挙げられる。
【００１８】
なお、本実施形態に係る表示装置に、本実施形態に係る表示装置の動きを検出することが可能な、１または２以上の外部センサが接続される場合には、本実施形態に係る表示装置は、上記センサを備えていなくてもよい。
【００１９】
表示部１０は、例えば、表示オブジェクトを表示することが可能な表示面を有し、ユーザに装着されたときにユーザの前方に表示面が位置するように、ユーザの両目の前の位置に配置される。ここで、図１では、表示部１０が、ユーザの両目それぞれに対応する表示面を有する構成を示しているが、本実施形態に係る表示部の構成は、上記に限られない。例えば、本実施形態に係る表示部は、ユーザの一方の目のみに対応する表示面を有する構成であってもよい。
【００２０】
ここで、本実施形態に係る表示オブジェクトとしては、例えば、アプリケーションなどに対応付けられているアイコンや、静止画像や動画像のサムネイル画像、静止画像や動画像を示すコンテンツ画像、Ｗｅｂ画面などが表示されるサブ表示画面ユーザに通知を行うための画像（静止画像または動画像）などが挙げられる。また、本実施形態に係る表示オブジェクトには、例えば、画面のレイアウトに係る画像（静止画像または動画像）が含まれていてもよい。
【００２１】
本実施形態に係る表示装置は、例えば図１のＡ、Ｂに示すように、ユーザに装着された場合において、ユーザの前方に表示面が位置する構成を有する。
【００２２】
なお、本実施形態に係る表示装置の外観が、図１のＡ、Ｂに示す外観に限られないことは、言うまでもない。
【００２３】
また、本実施形態に係る表示装置の構成は、図１のＡ、Ｂに示す構成に限られない。
【００２４】
例えば、本実施形態に係る表示装置は、ユーザに装着されたときにおけるユーザの側面の位置に、操作デバイスが設けられる構成、または、当該側面の位置に、外部操作デバイスが接続される構成であってもよい。操作デバイスが設けられる位置や、外部操作デバイスが接続される位置としては、例えば図１のＡ、Ｂに示すテンプル部材１２上の位置が挙げられる。また、操作デバイスは、例えば、ユーザに装着されたときにおけるユーザの左側面および／または右側面の両側面に設けられ、また、外部操作デバイスは、ユーザに装着されたときにおけるユーザの左側面および／または右側面の両側面に接続される。
【００２５】
ここで、本実施形態に係る操作デバイス、外部操作デバイスとしては、例えば、センサや、ボタンなどが挙げられる。また、本実施形態に係るセンサとしては、例えば、赤外線近接センサや、静電容量方式など各種方式のタッチセンサ、画像センサなどが挙げられる。
【００２６】
また、本実施形態に係る表示装置は、例えば、ＭＰＵ（Micro  Processing  Unit）や各種処理回路などで構成され、表示装置全体を制御する制御部（図示せず）を備えていてもよい。また、本実施形態に係る表示装置と本実施形態に係る表示制御装置とが一体の装置である場合には、制御部（図示せず）は、例えば、後述する本実施形態に係る表示制御方法に係る処理を行う役目を果たす。
【００２７】
また、本実施形態に係る表示装置は、本実施形態に係る表示制御装置などの外部装置と無線／有線で通信を行うための通信部（図示せず）を備えていてもよい。通信部（図示せず）としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ（Local  Area  Network）端子および送受信回路（有線通信）などが挙げられる。なお、本実施形態に係る表示装置は、例えば、接続されている外部通信デバイスを介して本実施形態に係る表示制御装置などの外部装置と通信を行う構成であってもよい。
【００２８】
また、本実施形態に係る表示装置は、例えば、各デバイスに電力を供給するバッテリ（図示せず）を備えていてもよい。ここで、本実施形態に係る表示装置が備えるバッテリ（図示せず）としては、例えば、リチウムイオン電池などの二次電池などが挙げられる。なお、本実施形態に係る表示装置が、商用電源などの外部電源から電力を得て駆動する場合には、本実施形態に係る表示装置は、バッテリ（図示せず）を備えていなくてもよい。
【００２９】
また、本実施形態に係る表示装置は、図１のＡ、Ｂに示すようなＨＭＤに限られない。例えば、本実施形態に係る表示装置は、片眼鏡（モノクル）型の装置であってもよい。本実施形態に係る表示装置は、例えば、ユーザに装着された場合において、ユーザの前方に表示面が位置する構成を有する、任意の形状の装置に適用することが可能である。
【００３０】
以下では、本実施形態に係る表示装置が、図１のＡに示すようなＨＭＤである場合を例に挙げて、本実施形態に係る表示制御装置における本実施形態に係る表示制御方法に係る処理について説明する。
【００３１】
［２］本実施形態に係る表示制御方法の概要
上述したように、例えば、表示面において常に静止したアイコンが表示される場合など、表示オブジェクトが常に表示面の固定した位置に表示される場合には、視界が遮られているような不快感をユーザに与えてしまう恐れがある。
【００３２】
そこで、本実施形態に係る表示制御装置は、例えば、図１のＡ、Ｂに示すような、本実施形態に係る表示装置（ユーザの前方に表示オブジェクトを表示することが可能な表示面が位置するようにユーザに装着される表示装置）における表示面に表示される表示オブジェクトの表示を、制御する（表示制御処理）。本実施形態に係る表示制御装置は、本実施形態に係る表示制御処理として、例えば、本実施形態に係る表示装置を装着しているユーザの動きに基づく、本実施形態に係る表示装置の動きに基づいて、表示オブジェクトを動かす。
【００３３】
より具体的には、本実施形態に係る表示制御装置は、例えば、表示面に表示される表示オブジェクトを、表示オブジェクトに対応する基準位置から、本実施形態に係る表示装置の動きに応じて移動させて表示させる。そして、本実施形態に係る表示制御装置は、例えば、移動させた表示オブジェクトを、移動後の位置から基準位置へと移動させて表示させる。ここで、本実施形態に係る表示装置の動きに応じた表示オブジェクトの移動としては、例えば、“表示面に表示される表示オブジェクトを、表示オブジェクトに対応する基準位置から、本実施形態に係る表示装置の動きが検出された軸方向と逆の方向に移動させること”などが挙げられる。また、本実施形態に係る移動後の位置から基準位置への表示オブジェクトの移動は、例えば、自動的に行われる。さらに具体的には、本実施形態に係る表示制御装置は、例えば、“ユーザの操作を伴わずに”、“ユーザの動作とは関係なく”、移動させた表示オブジェクトを移動後の位置から基準位置へと移動させる。本実施形態に係る表示装置の動きに応じた表示オブジェクトの移動の具体例については、後述する。
【００３４】
ここで、本実施形態に係る基準位置とは、例えば、表示オブジェクトが配置される場合における基準となる位置である。本実施形態に係る基準位置は、例えば、ローカル空間（本実施形態に係る表示装置を装着したユーザの向きとともに移動する座標系）に設定されている位置を原点とした座標で表される。本実施形態に係る基準位置としては、例えば、表示面上の所定の位置（例えば、表示面の左下隅の位置や、表示面の左上隅の位置、表示面の中心位置など）を原点とした座標で表される、表示面上の位置が挙げられる。
【００３５】
本実施形態に係る基準位置としては、例えば、表示オブジェクトごとの固有の位置が挙げられるが、本実施形態に係る基準位置は、上記に限られない。例えば、本実施形態に係る基準位置は、表示オブジェクトを移動させるユーザ操作などのユーザ操作に基づいて変更される可変の位置であってもよい。
【００３６】
また、本実施形態に係る動きが検出される軸方向（以下、単に「本実施形態に係る軸方向」と示す。）としては、例えば、ヨー方向、ピッチ方向、ロール方向が挙げられる。なお、本実施形態に係る軸方向は、上記に限られない。例えば、本実施形態に係る軸方向には、本実施形態に係る表示装置を装着したユーザにおける前後方向が含まれていてもよい。
【００３７】
本実施形態に係る表示制御装置は、例えば、本実施形態に係る表示装置が備える、本実施形態に係る表示装置の動きを検出することが可能なセンサ（または、本実施形態に係る表示装置に接続されている、本実施形態に係る表示装置の動きを検出することが可能な外部センサ。以下、同様とする。）が検出した、動きを示す検出データに基づいて、本実施形態に係る表示装置の動きに関する情報を取得する。ここで、本実施形態に係る動きに関する情報としては、例えば、“本実施形態に係る動きが検出される軸方向”や、“動き方向および動き量（検出された軸方向が、ヨー方向、ピッチ方向である場合）”、“傾き方向および傾き量（検出された軸方向が、ロール方向である場合）”などが挙げられる。
【００３８】
本実施形態に係る表示制御装置は、本実施形態に係る表示制御処理を行うことによって、例えば上記のように、本実施形態に係る表示装置の動きに基づいて、表示オブジェクトを動かす。よって、本実施形態に係る表示制御装置が、本実施形態に係る表示制御処理を行うことによって、表示オブジェクトが常に表示面の固定した位置に表示される場合のような、視界が遮られているような不快感をユーザに与えてしまう可能性を、低減することができる。
【００３９】
したがって、本実施形態に係る表示制御装置は、ユーザに不快感を与える可能性を低減することができる。
【００４０】
なお、本実施形態に係る表示制御処理により実現される、表示オブジェクトの動きは、上記に示す例に限られない。
【００４１】
例えば、本実施形態に係る軸方向が、ヨー方向、ピッチ方向、ロール方向である場合、本実施形態に係る表示制御装置は、本実施形態に係る軸方向ごとの設定に基づいて、移動させた表示オブジェクトを、軸方向ごとに選択的に移動後の位置から基準位置へと移動させてもよい。
【００４２】
具体例を挙げると、例えば、本実施形態に係る軸方向が、ロール方向である場合、本実施形態に係る表示制御装置は、基準位置から移動させた表示オブジェクトを、移動後の位置から基準位置へと移動させない。
【００４３】
また、例えば、本実施形態に係る軸方向が、ヨー方向、ピッチ方向である場合、本実施形態に係る表示制御装置は、ユーザ操作などにより設定された、移動後の位置から基準位置へと表示オブジェクトを移動させるか否かを示す設定情報（データ）に基づいて、移動させた表示オブジェクトを、選択的に移動後の位置から基準位置へと移動させる。本実施形態に係る表示制御装置は、例えば、設定情報が“移動後の位置から基準位置へと表示オブジェクトを移動させる”ことを示す場合には、基準位置から移動させた表示オブジェクトを、選択的に移動後の位置から基準位置へと移動させる。また、本実施形態に係る表示制御装置は、例えば、設定情報が“移動後の位置から基準位置へと表示オブジェクトを移動させる”ことを示さない場合には、基準位置から移動させた表示オブジェクトを、移動後の位置から基準位置へと移動させない。ここで、本実施形態に係る設定情報としては、例えば、移動後の位置から基準位置へと表示オブジェクトを移動させるか否かを示すフラグが挙げられる。
【００４４】
なお、本実施形態に係る軸方向が、ロール方向である場合において、本実施形態に係る表示制御装置が、例えば、設定情報に基づいて、移動させた表示オブジェクトを、選択的に移動後の位置から基準位置へと移動させることが可能であることは、言うまでもない。以下では、本実施形態に係る軸方向が、ロール方向であるときには、本実施形態に係る表示制御装置が、基準位置から移動させた表示オブジェクトを、移動後の位置から基準位置へと移動させない場合を、例に挙げる。
【００４５】
以下、本実施形態に係る表示制御処理について、より具体的に説明する。以下では、表示面に表示される本実施形態に係る表示オブジェクトが、アイコンである場合を例に挙げる。なお、本実施形態に係る表示オブジェクトがアイコンに限られないことは、言うまでもない。
【００４６】
［３］本実施形態に係る表示制御処理
（１）本実施形態に係る表示制御処理の第１の例：本実施形態に係る軸方向が、ヨー方向である場合における処理の一例
図２は、本実施形態に係る表示制御装置における、本実施形態に係る表示制御処理の第１の例を説明するための説明図であり、本実施形態に係る軸方向が、ヨー方向である場合における処理の一例を示している。図２に示すＡ、Ｂ、Ｃは、本実施形態に係る表示装置を装着したユーザの動作を、図２に示すＡ、Ｂ、Ｃの順で時系列に示しており、当該ユーザが首を右方向に回すことによって、ヨー方向の動きが検出される場合を示している。図２に示すＡ１、Ｂ１、Ｃ１は、表示面を示しており、表示面にアイコン（表示オブジェクトの一例）が表示される例を示している。また、図２に示すＡ２、Ｂ２、Ｃ２は、本実施形態に係る表示装置の状態を示しており、図２に示すＡ３、Ｂ３、Ｃ３は、ユーザの状態を示している。
【００４７】
まず、図２のＡ１と図２に示すＢ１とを参照すると、本実施形態に係る表示制御装置は、図２のＢ３に示すようなユーザの動きに基づく本実施形態に係る表示装置のヨー方向の動きに基づいて、表示面に表示されている各アイコンを移動させる。より具体的には、本実施形態に係る表示制御装置は、例えば、各アイコンを、本実施形態に係る基準位置に該当する図２のＡ１に示す位置から、図２における左方向（表示装置の動きが検出された軸方向と逆の方向）に移動させる。
【００４８】
次に、図２のＢ１と図２に示すＣ１とを参照すると、本実施形態に係る表示制御装置は、本実施形態に係る基準位置に該当する図２のＡ１に示す位置から、図２のＢ１に示す位置（移動後の位置）に移動させたアイコンを、図２のＢ１に示す位置（移動後の位置）から本実施形態に係る基準位置に該当する図２のＣ１に示す位置（図２のＡ１に対応する位置）へと移動させる。
【００４９】
ここで、本実施形態に係る表示制御装置は、例えば、表示オブジェクトを、設定されている所定の速度で移動させる。本実施形態に係る所定の速度は、例えば、予め設定されている固定値であってもよいし、ユーザ操作などにより設定可能な可変値であってもよい。
【００５０】
なお、本実施形態に係る表示オブジェクトを移動させる速度の設定方法は、上記に限られない。
【００５１】
例えば、表示オブジェクトを移動させる場合、本実施形態に係る表示制御装置は、表示オブジェクトに対応する基準位置、表示オブジェクトが表示されている位置、検出された本実施形態に係る表示装置の動きに基づき算出される動き量のうちの、１または２以上に基づいて、表示オブジェクトを移動させる速度を変えてもよい。ここで、本実施形態に係る表示オブジェクトが表示されている位置は、例えば、本実施形態に係る基準位置、移動中における表示オブジェクトの位置、または、移動後の表示オブジェクトの位置のうちの、いずれかの位置を示す。また、本実施形態に係る表示オブジェクトが表示されている位置は、例えば、本実施形態に係る基準位置と同様に、例えば、表示面上の所定の位置を原点とした座標で表される。また、本実施形態に係る動き量の算出方法の一例については、後述する。
【００５２】
表示オブジェクトに対応する基準位置、または、表示オブジェクトが表示されている位置に基づいて、表示オブジェクトを移動させる速度を変える場合には、本実施形態に係る表示制御装置は、例えば、表示面における位置に対応する座標と表示オブジェクトを移動させる速度とが対応付けられているテーブルなどを用いて、基準位置または表示オブジェクトが表示されている位置に対応する、表示オブジェクトを移動させる速度を決定する。また、算出された動き量に基づいて、表示オブジェクトを移動させる速度を変える場合には、本実施形態に係る表示制御装置は、例えば、動き量と表示オブジェクトを移動させる速度とが対応付けられているテーブルなどを用いて、算出された動き量に対応する、表示オブジェクトを移動させる速度を決定する。また、表示オブジェクトに対応する基準位置、表示オブジェクトが表示されている位置、検出された本実施形態に係る表示装置の動きに基づき算出される動き量のうちの、２以上の指標に基づいて、表示オブジェクトを移動させる速度を変える場合、本実施形態に係る表示制御装置は、例えば、指標ごとにテーブルなどを用いて特定された速度の平均をとることによって、表示オブジェクトを移動させる速度を決定する。なお、本実施形態に係る表示制御装置における、表示オブジェクトを移動させる速度の決定方法が、上記に示す例に限られないことは、言うまでもない。
【００５３】
また、本実施形態に係る表示制御装置は、表示オブジェクトを移動させる速度を、設定されている重み付け係数により調整することも可能である。
【００５４】
ここで、本実施形態に係る重み付け係数としては、例えば、表示オブジェクトごとに設定される係数や、表示オブジェクトの種別ごとに設定される係数、表示オブジェクト共通の重み付け係数が挙げられる。また、本実施形態に係る重み付け係数は、例えば、予め設定されている固定値であってもよいし、ユーザ操作などにより設定可能な可変値であってもよい。
【００５５】
本実施形態に係る表示制御装置が、例えば図２に示すように表示オブジェクトを移動させることによって、表示オブジェクトは、常に表示面の固定した位置には表示されない。したがって、本実施形態に係る表示制御装置が、例えば図２に示すように表示オブジェクトを移動させることによって、ユーザに不快感を与える可能性を低減することができる。
【００５６】
また、本実施形態に係る表示制御装置が、例えば図２に示すように表示オブジェクトを移動させることによって、本実施形態に係る表示装置を装着しているユーザが首を左右に動かすなど、ヨー方向の動きが検出される動きを行うと、あたかも、表示面に表示されている表示オブジェクトがユーザの動きに追従してくる感覚を、当該ユーザに対して与えることが、可能となる。
【００５７】
また、本実施形態に係る表示制御装置が、例えば図２に示すように表示オブジェクトを移動させることによって、常に表示面の固定した位置には表示される場合と比べて、表示面に表示される表示オブジェクトに、浮遊感が生じる。さらに、例えば、本実施形態に係る表示装置が、透過型のＨＭＤなど、ユーザが表示面を介して実風景を見ることが可能な装置である場合には、あたかも、表示オブジェクトが、実風景における物体に重畳している感覚を、当該ユーザに対して与えることが、可能となる。
【００５８】
次に、例えば図２のＡ１、Ｂ１、Ｃ１に示すような、表示オブジェクトの表示を実現することが可能な、本実施形態に係る表示制御処理の一例について、より具体的に説明する。
【００５９】
図３は、本実施形態に係る表示制御装置における、本実施形態に係る表示制御処理の第１の例を説明するための説明図である。図３は、例えば図２のＡ１、Ｂ１、Ｃ１に示すような、表示オブジェクトの表示を実現することが可能な本実施形態に係る表示制御処理の一例の前提を示している。図３に示すＡは、検出された本実施形態に係る表示装置の動きに基づく動き方向と動き量との求め方の一例を示している。また、図３に示すＢは、本実施形態に係る基準位置の一例と、表示面に設定される座標軸の一例を示している。図３に示すＢでは、水平方向に対応するＸ軸と、垂直方向に対応するＹ軸とが、表示面に設定されている例を示している。なお、本実施形態に係る基準位置は、図３のＢに示すような１点に限られず、例えば、複数の座標を含む領域であってもよい。
【００６０】
例えば、本実施形態に係る表示装置が備える、本実施形態に係る表示装置の動きを検出することが可能なセンサから取得される検出データに基づき特定される本実施形態に係る表示装置の角度をθとする。本実施形態に係る表示装置は、例えば、第１の時点における角度θ０と、第２の時点（第１の時点よりも後の時点）における角度θ１とに基づいて、下記の数式１により、検出された動きによる動き方向と動き量とを算出する。ここで、数式１に示すΔθの正負の符号が、動き方向を示し、Δθの絶対値が、動き量を示す。なお、図３に示す例では、図３のＡの矢印で示す回転方向を正の方向としている。
【００６１】
Δθ＝θ１−θ０
・・・（数式１）
【００６２】
図４は、本実施形態に係る表示制御装置における、本実施形態に係る表示制御処理の第１の例を説明するための説明図である。図４は、例えば図２のＡ１、Ｂ１、Ｃ１に示すような、表示オブジェクトの表示を実現することが可能な本実施形態に係る表示制御処理を示す流れ図の一例を示している。
【００６３】
本実施形態に係る表示制御装置は、算出されたΔθの絶対値（すなわち、本実施形態に係る動き量）が、設定されている所定の閾値以上であるか否かを判定する（Ｓ１００）。ここで、ステップＳ１００の処理に係る所定の閾値は、予め設定されている固定値であってもよいし、ユーザ操作などによって適宜設定することが可能な可変値であってもよい。
【００６４】
なお、ステップＳ１００の処理は、図４に示す例に限られない。例えば、本実施形態に係る表示制御装置は、ステップＳ１００において、算出されたΔθの絶対値が、設定されている所定の閾値より大きいか否かを判定してもよい。
【００６５】
ステップＳ１００において、算出されたΔθの絶対値が設定されている所定の閾値以上であると判定された場合には、本実施形態に係る表示制御装置は、算出されたΔθの符号が負であるかを判定する（Ｓ１０２）。
【００６６】
ステップＳ１０２において算出されたΔθの符号が負であると判定された場合には、本実施形態に係る表示制御装置は、表示オブジェクトを、表示面におけるＸ軸の正の方向に移動させる（Ｓ１０４）。また、ステップＳ１０２において算出されたΔθの符号が正であると判定された場合には、本実施形態に係る表示制御装置は、表示オブジェクトを、表示面におけるＸ軸の負の方向に移動させる（Ｓ１０６）。ここで、本実施形態に係る表示制御装置は、ステップＳ１０４、Ｓ１０６において、表示オブジェクトそれぞれに設定されている速度で、表示オブジェクトを移動させる。
【００６７】
例えば、ステップＳ１０４、Ｓ１０６の処理が行われることによって、図２のＡ１、Ｂ１に示すような“各アイコンが、本実施形態に係る基準位置に該当する図２のＡ１に示す位置から、図２における左方向（表示装置の動きが検出された軸方向と逆の方向）に移動されること”が、実現される。
【００６８】
また、ステップＳ１００において、算出されたΔθの絶対値が設定されている所定の閾値以上であると判定されない場合には、本実施形態に係る表示制御装置は、表示オブジェクトが基準位置に位置するか否かを判定する（Ｓ１０８）。本実施形態に係る表示制御装置は、例えば、表示オブジェクトの現在の座標と、基準位置に対応する座標とが同一である場合に、表示オブジェクトが基準位置に位置すると判定する。
【００６９】
ステップＳ１０８において表示オブジェクトが基準位置に位置すると判定された場合には、本実施形態に係る表示制御装置は、本実施形態に係る表示制御処理を終了する。
【００７０】
また、ステップＳ１０８において表示オブジェクトが基準位置に位置すると判定された場合には、本実施形態に係る表示制御装置は、表示オブジェクトを基準位置に向かって動かす（Ｓ１１０）。そして、本実施形態に係る表示制御装置は、ステップＳ１００からの処理を繰り返す。
【００７１】
例えば、ステップＳ１１０の処理が行われることによって、図２のＢ１、Ｃ１に示すような“本実施形態に係る基準位置に該当する図２のＡ１に示す位置から、図２のＢ１に示す位置（移動後の位置）に移動させたアイコンが、図２のＢ１に示す位置（移動後の位置）から本実施形態に係る基準位置に該当する図２のＣ１に示す位置（図２のＡ１に対応する位置）へと移動されること”が、実現される。
【００７２】
例えば図４に示すように、本実施形態に係る表示制御装置は、算出された動き量と、所定の閾値とを比較し、比較結果に応じて表示オブジェクトを移動させる。また、本実施形態に係る表示制御装置は、例えば図４に示すように、表示オブジェクトを、算出された動き方向とは反対の方向に移動させる。
【００７３】
本実施形態に係る表示制御装置は、第１の例に係る表示制御処理として、例えば図４に示す処理を行う。本実施形態に係る表示制御装置が、例えば図４に示す処理を行うことによって、例えば図２のＡ１、Ｂ１、Ｃ１に示すような、表示オブジェクトの表示を実現することができる。なお、図２のＡ１、Ｂ１、Ｃ１に示すような、表示オブジェクトの表示を実現することが可能な、本実施形態に係る表示制御装置における表示制御処理が、図４に示す例に限られないことは、言うまでもない。
【００７４】
（２）本実施形態に係る表示制御処理の第２の例：本実施形態に係る軸方向が、ピッチ方向である場合における処理の一例
図５は、本実施形態に係る表示制御装置における、本実施形態に係る表示制御処理の第２の例を説明するための説明図であり、本実施形態に係る軸方向が、ピッチ方向である場合における処理の一例を示している。図５に示すＡ、Ｂ、Ｃは、本実施形態に係る表示装置を装着したユーザの動作を、図５に示すＡ、Ｂ、Ｃの順で時系列に示しており、当該ユーザが首を前方向に回すことによって、ピッチ方向の動きが検出される場合を示している。図５に示すＡ１、Ｂ１、Ｃ１は、表示面を示しており、表示面にアイコン（表示オブジェクトの一例）が表示される例を示している。また、図５に示すＡ２、Ｂ２、Ｃ２は、本実施形態に係る表示装置の状態を示しており、図５に示すＡ３、Ｂ３、Ｃ３は、ユーザの状態を示している。
【００７５】
まず、図５のＡ１と図５に示すＢ１とを参照すると、本実施形態に係る表示制御装置は、図５のＢ３に示すようなユーザの動きに基づく本実施形態に係る表示装置のピッチ方向の動きに基づいて、表示面に表示されている各アイコンを移動させる。より具体的には、本実施形態に係る表示制御装置は、例えば、各アイコンを、本実施形態に係る基準位置に該当する図５のＡ１に示す位置から、図５における上方向（表示装置の動きが検出された軸方向と逆の方向）に移動させる。
【００７６】
次に、図５のＢ１と図５に示すＣ１とを参照すると、本実施形態に係る表示制御装置は、本実施形態に係る基準位置に該当する図５のＡ１に示す位置から、図５のＢ１に示す位置（移動後の位置）に移動させたアイコンを、図５のＢ１に示す位置（移動後の位置）から本実施形態に係る基準位置に該当する図５のＣ１に示す位置（図５のＡ１に対応する位置）へと移動させる。
【００７７】
ここで、本実施形態に係る表示制御装置は、例えば、上記（１）に示す第１の例に係る表示制御処理と同様に、表示オブジェクトそれぞれに設定されている速度で、表示オブジェクトを移動させる。
【００７８】
本実施形態に係る表示制御装置が、例えば図５に示すように表示オブジェクトを移動させることによって、表示オブジェクトは、常に表示面の固定した位置には表示されない。したがって、本実施形態に係る表示制御装置が、例えば図５に示すように表示オブジェクトを移動させることによって、ユーザに不快感を与える可能性を低減することができる。
【００７９】
また、本実施形態に係る表示制御装置が、例えば図５に示すように表示オブジェクトを移動させることによって、本実施形態に係る表示装置を装着しているユーザが首を上下に動かすなど、ピッチ方向の動きが検出される動きを行うと、あたかも、表示面に表示されている表示オブジェクトがユーザの動きに追従してくる感覚を、当該ユーザに対して与えることが、可能となる。
【００８０】
また、本実施形態に係る表示制御装置が、例えば図５に示すように表示オブジェクトを移動させることによって、常に表示面の固定した位置には表示される場合と比べて、表示面に表示される表示オブジェクトに、浮遊感が生じる。さらに、例えば、本実施形態に係る表示装置が、透過型のＨＭＤなど、ユーザが表示面を介して実風景を見ることが可能な装置である場合には、あたかも、表示オブジェクトが、実風景における物体に重畳している感覚を、当該ユーザに対して与えることが、可能となる。
【００８１】
次に、例えば図５のＡ１、Ｂ１、Ｃ１に示すような、表示オブジェクトの表示を実現することが可能な、本実施形態に係る表示制御処理の一例について、より具体的に説明する。
【００８２】
本実施形態に係る表示制御装置は、例えば、図４に示す第１の例に係る表示制御処理と同様の処理を行う。図４に示す第１の例に係る表示制御処理と同様の処理を行う場合、本実施形態に係る表示制御装置は、例えば、図４のステップＳ１０４、Ｓ１０６の処理において、表示オブジェクトを、図３のＢに示すＹ軸方向に動かす。
【００８３】
例えば、本実施形態に係る表示制御装置が、図４に示す第１の例に係る表示制御処理と同様の処理を行うことによって、図５のＡ１、Ｂ１、Ｃ１に示すような、表示オブジェクトの表示を実現することができる。なお、図５のＡ１、Ｂ１、Ｃ１に示すような、表示オブジェクトの表示を実現することが可能な、本実施形態に係る表示制御装置における表示制御処理が、図４に示す第１の例に係る表示制御処理と同様の処理に限られないことは、言うまでもない。
【００８４】
（３）本実施形態に係る表示制御処理の第３の例：本実施形態に係る軸方向が、ロール方向である場合における処理の一例
図６は、本実施形態に係る表示制御装置における、本実施形態に係る表示制御処理の第３の例を説明するための説明図であり、本実施形態に係る軸方向が、ロール方向である場合における処理の一例を示している。図６に示すＡは、本実施形態に係る表示装置を装着したユーザが動作を行う前の状態の一例を示している。また、図６に示すＢは、ユーザの動作が行われた場合の状態の一例を示しており、当該ユーザが首を左方向に傾けることによって、ロール方向の動きが検出される場合を示している。また、図６に示すＣは、ユーザの動作が行われた場合の状態の他の例を示しており、当該ユーザが首を右方向に傾けることによって、ロール方向の動きが検出される場合を示している。図６に示すＡ１、Ｂ１、Ｃ１は、表示面を示しており、表示面にアイコン（表示オブジェクトの一例）が表示される例を示している。また、図６に示すＡ２、Ｂ２、Ｃ２は、本実施形態に係る表示装置の状態を示しており、図６に示すＡ３、Ｂ３、Ｃ３は、ユーザの状態を示している。
【００８５】
まず、図６のＡ１と図６に示すＢ１とを参照すると、本実施形態に係る表示制御装置は、図６のＢ３に示すようなユーザの動きに基づく本実施形態に係る表示装置のロール方向の動きに基づいて、表示面に表示されている各アイコンを移動させる。より具体的には、本実施形態に係る表示制御装置は、例えば、各アイコンを、本実施形態に係る基準位置に該当する図６のＡ１に示す位置から、図６における右方向（表示装置の動きが検出された軸方向と逆の方向）に回転させることによって、各アイコンを移動させる。
【００８６】
次に、図６のＢ１と図６に示すＣ１とを参照すると、本実施形態に係る表示制御装置は、図６のＣ３に示すようなユーザの動きに基づく本実施形態に係る表示装置のロール方向の動きに基づいて、表示面に表示されている各アイコンを移動させる。より具体的には、本実施形態に係る表示制御装置は、例えば、各アイコンを、本実施形態に係る基準位置に該当する図６のＡ１に示す位置から、図６における左方向（表示装置の動きが検出された軸方向と逆の方向）に回転させることによって、各アイコンを移動させる。
【００８７】
ここで、本実施形態に係る表示制御装置は、例えば、表示オブジェクトを、設定されている所定の速度で回転させることにより、移動させる。本実施形態に係る所定の速度は、例えば、予め設定されている固定値であってもよいし、ユーザ操作などにより設定可能な可変値であってもよい。
【００８８】
なお、表示オブジェクトを回転させることにより移動させる場合における、本実施形態に係る表示オブジェクトを移動させる速度の設定方法は、上記に限られない。
【００８９】
例えば、表示オブジェクトを回転させることにより移動させる場合、本実施形態に係る表示制御装置は、表示オブジェクトに対応する基準位置、算出される傾き量のうちの、一方、または、双方に基づいて、表示オブジェクトを移動させる速度を変えてもよい。本実施形態に係る傾き量の算出方法の一例については、後述する。
【００９０】
表示オブジェクトに対応する基準位置に基づいて、表示オブジェクトを移動させる速度を変える場合には、本実施形態に係る表示制御装置は、例えば、表示面における位置に対応する座標と表示オブジェクトを回転させる速度とが対応付けられているテーブルなどを用いて、基準位置に対応する、表示オブジェクトを移動させる速度を決定する。また、算出された傾き量に基づいて、表示オブジェクトを移動させる速度を変える場合には、本実施形態に係る表示制御装置は、例えば、傾き量と表示オブジェクトを回転させる速度とが対応付けられているテーブルなどを用いて、算出された傾き量に対応する、表示オブジェクトを移動させる速度を決定する。また、表示オブジェクトに対応する基準位置、および検出された本実施形態に係る表示装置の動きに基づき算出される傾き量の双方の指標に基づいて、表示オブジェクトを移動させる速度を変える場合、本実施形態に係る表示制御装置は、例えば、指標ごとにテーブルなどを用いて特定された速度の平均をとることによって、表示オブジェクトを移動させる速度を決定する。なお、表示オブジェクトを回転させることにより移動させる場合における、本実施形態に係る表示制御装置における、表示オブジェクトを移動させる速度の決定方法が、上記に示す例に限られないことは、言うまでもない。
【００９１】
また、本実施形態に係る表示制御装置は、例えば上記（１）に示す第１の例に係る表示制御処理と同様に、表示オブジェクトを移動させる速度を、設定されている重み付け係数により調整することも可能である。
【００９２】
検出された本実施形態に係る表示装置の動きに係る本実施形態に係る軸方向が、ロール方向である場合、本実施形態に係る表示制御装置は、例えば図６のＡ１、Ｂ１、Ｃ１に示すように、表示オブジェクトを移動させる。
【００９３】
なお、検出された本実施形態に係る表示装置の動きに係る本実施形態に係る軸方向が、ロール方向である場合において、本実施形態に係る表示制御装置が表示オブジェクトを移動させた結果、表示面に表示される表示オブジェクトの表現方法は、図６のＡ１、Ｂ１、Ｃ１に示す例に限られない。
【００９４】
図７は、本実施形態に係る表示制御装置における、本実施形態に係る表示制御処理の第３の例を説明するための説明図であり、本実施形態に係る軸方向が、ロール方向である場合における処理の他の例を示している。図７に示すＡは、本実施形態に係る表示装置を装着したユーザが動作を行う前の状態の一例を示している。また、図７に示すＢは、ユーザの動作が行われた場合の状態の一例を示しており、図６に示すＢと同様に、当該ユーザが首を左方向に傾けることによって、ロール方向の動きが検出される場合を示している。また、図７に示すＣは、ユーザの動作が行われた場合の状態の他の例を示しており、図６に示すＣと同様に、当該ユーザが首を右方向に傾けることによって、ロール方向の動きが検出される場合を示している。図７に示すＡ１、Ｂ１、Ｃ１は、表示面を示しており、表示面にアイコン（表示オブジェクトの一例）が表示される例を示している。また、図７に示すＡ２、Ｂ２、Ｃ２は、本実施形態に係る表示装置の状態を示しており、図７に示すＡ３、Ｂ３、Ｃ３は、ユーザの状態を示している。
【００９５】
まず、図７のＡ１と図７に示すＢ１とを参照すると、本実施形態に係る表示制御装置は、図７のＢ３に示すようなユーザの動きに基づく本実施形態に係る表示装置のロール方向の動きに基づいて、表示面に表示されている各アイコンを移動させる。より具体的には、本実施形態に係る表示制御装置は、例えば、各アイコンを、本実施形態に係る基準位置に該当する図７のＡ１に示す位置から、図７における右方向（表示装置の動きが検出された軸方向と逆の方向）に回転させることによって、各アイコンを移動させる。
【００９６】
次に、図７のＢ１と図７に示すＣ１とを参照すると、本実施形態に係る表示制御装置は、図７のＣ３に示すようなユーザの動きに基づく本実施形態に係る表示装置のロール方向の動きに基づいて、表示面に表示されている各アイコンを移動させる。より具体的には、本実施形態に係る表示制御装置は、例えば、各アイコンを、本実施形態に係る基準位置に該当する図７のＡ１に示す位置から、図７における左方向（表示装置の動きが検出された軸方向と逆の方向）に回転させることによって、各アイコンを移動させる。
【００９７】
ここで、図６のＢ１および図７のＢ１と、図６のＣ１および図７のＣ１とをそれぞれ比較すると、各アイコンが移動された結果表示面に表示される表示オブジェクトの表現が異なっていることが分かる。例えば、図６のＢ１および図７のＢ１と、図６のＣ１および図７のＣ１とに示すように、本実施形態に係る表示制御装置は、検出された本実施形態に係る表示装置の動きに係る本実施形態に係る軸方向が、ロール方向である場合には、様々な表現方法を用いることが可能である。
【００９８】
本実施形態に係る表示制御装置が、例えば図６や図７に示すように表示オブジェクトを移動させることによって、表示オブジェクトは、常に表示面の固定した位置には表示されない。したがって、本実施形態に係る表示制御装置が、例えば図６や図７に示すように表示オブジェクトを移動させることによって、ユーザに不快感を与える可能性を低減することができる。
【００９９】
また、本実施形態に係る表示制御装置が、例えば図６や図７に示すように表示オブジェクトを移動させることによって、本実施形態に係る表示装置を装着したユーザが首を傾けても、表示オブジェクトは、地面と水平な状態で表示される。
【０１００】
次に、例えば図６のＡ１、Ｂ１、Ｃ１や図７のＡ１、Ｂ１、Ｃ１に示すような、表示オブジェクトの表示を実現することが可能な、本実施形態に係る表示制御処理の一例について、より具体的に説明する。
【０１０１】
図８は、本実施形態に係る表示制御装置における、本実施形態に係る表示制御処理の第３の例を説明するための説明図である。図８は、例えば図６のＡ１、Ｂ１、Ｃ１や図７のＡ１、Ｂ１、Ｃ１に示すような、表示オブジェクトの表示を実現することが可能な本実施形態に係る表示制御処理の一例の前提を示している。図８に示すＡ、Ｂは、本実施形態に係る表示装置の動きに基づく傾き方向の一例をしめしている。以下では、図８のＡ、Ｂにおいて矢印で示す回転方向を正の方向とする場合を例に挙げる。
【０１０２】
図９は、本実施形態に係る表示制御装置における、本実施形態に係る表示制御処理の第３の例を説明するための説明図である。図９は、例えば図６のＡ１、Ｂ１、Ｃ１や図７のＡ１、Ｂ１、Ｃ１に示すような、表示オブジェクトの表示を実現することが可能な本実施形態に係る表示制御処理を示す流れ図の一例を示している。
【０１０３】
本実施形態に係る表示制御装置は、検出された本実施形態に係る表示装置の動きに基づく、本実施形態に係る表示装置の傾きθを算出する（Ｓ２００）。本実施形態に係る表示制御装置は、例えば、本実施形態に係る表示装置が備える、本実施形態に係る表示装置の動きを検出することが可能なセンサから取得される検出データに基づいて、傾きθを算出する。ここで、傾きθの正負の符号が、傾き方向を示し、傾きθの絶対値が、傾き量を示す。
【０１０４】
ステップＳ２００において傾きθ（すなわち、検出された動きによる、傾き方向と傾き量）が算出されると、本実施形態に係る表示制御装置は、表示オブジェクトを、傾きθの符号が示す方向（すなわち、傾き方向）とは反対の方向に、傾きθの絶対値分（すなわち、傾き量分）表示オブジェクトを回転されることによって、表示オブジェクトを移動させる。
【０１０５】
例えばステップ２０２の処理が行われることによって、“表示オブジェクトを、算出された傾き方向とは反対方向に、算出された傾き量分回転させて、表示オブジェクトを移動させること”が、実現される。
【０１０６】
本実施形態に係る表示制御装置は、第３の例に係る表示制御処理として、例えば図９に示す処理を行う。本実施形態に係る表示制御装置が、例えば図９に示す処理を行うことによって、例えば図６のＡ１、Ｂ１、Ｃ１や図７のＡ１、Ｂ１、Ｃ１に示すような、表示オブジェクトの表示を実現することができる。
【０１０７】
なお、本実施形態に係る第３の例に係る表示制御処理は、例えば図９に示す例に限られない。例えば、本実施形態に係る表示制御装置は、本実施形態に係る第３の例に係る表示制御処理を行うか否かを判定し、選択的に本実施形態に係る第３の例に係る表示制御処理を行うことも可能である。
【０１０８】
選択的に本実施形態に係る第３の例に係る表示制御処理を行う場合、本実施形態に係る表示制御装置は、例えば、本実施形態に係る第３の例に係る表示制御処理を行うか否かを示す処理設定情報（データ）に基づいて、本実施形態に係る第３の例に係る表示制御処理を行うか否かを判定する。
【０１０９】
本実施形態に係る処理設定情報としては、例えば、本実施形態に係る第３の例に係る表示制御処理を行うか否かを示すフラグが挙げられる。本実施形態に係る処理設定情報は、例えば、ユーザ操作などに基づいて、本実施形態に係る第３の例に係る表示制御処理を行うか否かが設定される。ここで、本実施形態に係る処理設定情報は、例えば、表示オブジェクトごとのデータであってもよいし、表示オブジェクト共通のデータであってもよい。
【０１１０】
例えば上記のように、本実施形態に係る表示制御装置が、選択的に本実施形態に係る第３の例に係る表示制御処理を行うことによって、例えば、ユーザは、本実施形態に係る表示制御装置における、本実施形態に係る第３の例に係る表示制御処理を行う機能をオフすることが可能となる。例えば、ユーザは、寝転がった状態でアイコン（表示オブジェクトの一例）を操作したい場合など、アイコンが地面に対して水平を維持したまま表示させたくない場合に、本実施形態に係る第３の例に係る表示制御処理を行う機能をオフさせる。
【０１１１】
したがって、例えば上記のように、本実施形態に係る表示制御装置が、選択的に本実施形態に係る第３の例に係る表示制御処理を行うことによって、本実施形態に係る表示制御装置は、ユーザの利便性のさらなる向上を図ることができる。
【０１１２】
（４）本実施形態に係る表示制御処理の第４の例：本実施形態に係る軸方向が、ヨー方向、ピッチ方向、およびロール方向のうちの、２以上の軸方向である場合における処理の一例
上記（１）に示す第１の例に係る表示制御処理〜上記（３）に示す第３の例に係る表示制御処理では、本実施形態に係る軸方向が、ヨー方向、ピッチ方向、およびロール方向のうちのいずれかである場合における表示制御処理の一例を示した。しかしながら、本実施形態に係る表示制御処理は、本実施形態に係る軸方向が、ヨー方向、ピッチ方向、およびロール方向のうちのいずれかである場合における処理に限られない。
【０１１３】
例えば、本実施形態に係る軸方向が、ヨー方向、ピッチ方向、およびロール方向のうちの、２以上の軸方向である場合には、本実施形態に係る表示制御装置は、本実施形態に係る軸方向それぞれに対応する処理（上記（１）に示す第１の例に係る表示制御処理〜上記（３）に示す第３の例に係る表示制御処理）を、それぞれ並列に行うことも可能である。つまり、本実施形態に係る表示制御装置は、例えば、上記（１）に示す第１の例に係る表示制御処理〜上記（３）に示す第３の例に係る表示制御処理のうちの、２以上の表示制御処理を、組み合わせることができる。
【０１１４】
（５）本実施形態に係る表示制御処理の第５の例：表示オブジェクトの複層表現を実現することが可能な表示制御処理の例
本実施形態に係る表示制御処理は、上記（１）に示す第１の例に係る表示制御処理〜上記（４）に示す第４の例に係る表示制御処理に限られない。例えば、本実施形態に係る表示制御装置は、表示面に表示される表示オブジェクトが、あたかも、複数の表示層のいずれかに配置されているような表現（以下、「複層表現」と示す。）を実現するための処理を、本実施形態に係る表示制御処理として行ってもよい。
【０１１５】
（５−１）本実施形態に係る第５の例に係る表示制御処理の第１の例
本実施形態に係る表示制御装置は、例えば、表示オブジェクトごとに、検出された本実施形態に係る表示装置の動きに応じて表示オブジェクトが移動する移動量を変えることによって、本実施形態に係る複層表現を実現する。
【０１１６】
本実施形態に係る表示制御装置は、例えば、表示オブジェクトに設定されている属性に基づいて、表示オブジェクトごとに、検出された動きに応じて表示オブジェクトが移動する移動量を変える。ここで、本実施形態に係る表示オブジェクトに設定されている属性は、例えば、検出された本実施形態に係る表示装置の動きに応じた移動量に関するレベルを示すものであり、また、表示オブジェクトが複数の表示層のうちの、どの表示層に配置されるかを示す。
【０１１７】
本実施形態に係る表示制御装置は、例えば、表示オブジェクトに対応する属性が設定されている属性情報（データ）に基づいて、検出された動きに応じて表示オブジェクトが移動する移動量を変える。
【０１１８】
ここで、本実施形態に係る属性情報としては、例えば、検出された本実施形態に係る表示装置の動きに基づき算出される動き量や傾き量に乗算する、調整係数を含むデータが挙げられる。本実施形態に係る属性情報に上記調整係数が含まれる場合、本実施形態に係る表示制御装置は、例えば、検出された本実施形態に係る表示装置の動きに基づき算出される動き量や傾き量と、属性情報に含まれる上記調整係数とを乗算することによって、表示オブジェクトの移動量を、表示オブジェクトに設定されている属性に対応する移動量とする。
【０１１９】
なお、本実施形態に係る属性情報は、上記に示す例に限られない。
【０１２０】
例えば、本実施形態に係る属性情報は、検出された本実施形態に係る表示装置の動きに応じた移動量に関するレベルを、数値で直接表すものであってもよい。本実施形態に係る属性情報が、検出された本実施形態に係る表示装置の動きに応じた移動量に関するレベルを、数値で直接表す場合、本実施形態に係る表示制御装置は、移動量に関するレベルを示す数値と、上記調整係数とが対応付けられたテーブルなどを用いることによって、本実施形態に係る属性情報に対応する上記調整係数を特定する。そして、本実施形態に係る表示制御装置は、例えば、検出された本実施形態に係る表示装置の動きに基づき算出される動き量や傾き量と、特定された上記調整係数とを乗算することによって、表示オブジェクトの移動量を、表示オブジェクトに設定されている属性に対応する移動量とする。
【０１２１】
ここで、本実施形態に係る表示オブジェクトに対応する属性は、例えば、予め設定されていてもよいし、ユーザ操作に基づいて設定されてもよい。また、本実施形態に係る表示オブジェクトに対応する属性は、例えば、本実施形態に係る表示制御装置や本実施形態に係る表示装置などによって、動的に設定されてもよい。予め設定される属性の例としては、例えば、表示面に表示される時計やバッテリ残量を表示するアイコンなど、常に表示面に表示させることが想定される表示オブジェクトに対して、“検出された本実施形態に係る表示装置の動きに応じて、移動させないことを示すレベル”に相当する属性を設定することが挙げられる。また、本実施形態に係る表示オブジェクトに対応する属性が、本実施形態に係る表示制御装置などにより動的に設定される例としては、例えば、メールアプリケーションに対応するアイコンに対して、当該メールアプリケーションが管理するメール数に応じた属性を設定することが挙げられる。
【０１２２】
例えば上記のように、表示オブジェクトに設定されている属性に基づいて、表示オブジェクトごとに、検出された本実施形態に係る表示装置の動きに応じて表示オブジェクトが移動する移動量が変わることによって、移動する表示オブジェクトを見たユーザは、表示オブジェクトの動き方によって、あたかも、表示オブジェクトが異なる表示層に配置されているような感覚を得ることが可能となる。よって、例えば上記のように、表示オブジェクトに設定されている属性に基づいて、表示オブジェクトごとに、検出された本実施形態に係る表示装置の動きに応じて表示オブジェクトが移動する移動量が変わることによって、本実施形態に係る複層表現を実現することができる。
【０１２３】
なお、本実施形態に係る第５の例に係る表示制御処理は、上記に示すような、表示オブジェクトに設定されている属性に基づき移動量を変える処理に限られない。例えば、本実施形態に係る表示制御装置は、表示オブジェクトの種別ごとに、検出された本実施形態に係る表示装置の動きに応じて表示オブジェクトが移動する移動量を変えることも可能である。ここで、本実施形態に係る表示オブジェクトの種別としては、例えば、アプリケーションに対応するアイコンや、サムネイル画像、Ｗｅｂ画面などが挙げられる。
【０１２４】
（５−２）本実施形態に係る第５の例に係る表示制御処理の第２の例
例えば、本実施形態に係る表示制御装置は、検出された動きに応じた移動量が小さな表示オブジェクトほど、表示オブジェクトを小さく表示させてもよい。
【０１２５】
また、本実施形態に係る表示制御装置は、反対に、検出された動きに応じた移動量が大きな表示オブジェクトほど、表示オブジェクトを大きく表示させることも可能である。以下では、本実施形態に係る表示制御装置が、検出された動きに応じた移動量が小さな表示オブジェクトほど、表示オブジェクトを小さく表示させる場合を例に挙げて、本実施形態に係る第５の例に係る表示制御処理の第２の例について説明する。なお、本実施形態に係る表示制御装置は、例えば、下記に示す“検出された動きに応じた移動量が小さな表示オブジェクトほど、表示オブジェクトを小さく表示させる場合に係る処理”と同様の処理を行うことによって、検出された動きに応じた移動量が大きな表示オブジェクトほど、表示オブジェクトを大きく表示させることを実現することが可能である。
【０１２６】
本実施形態に係る表示制御装置は、例えば、移動量と、表示オブジェクトのサイズを縮小させる縮小係数とが対応付けられたテーブルなどを用いることによって、検出された動きに応じた移動量が小さな表示オブジェクトほど、表示オブジェクトを小さく表示させる。なお、本実施形態に係る表示制御装置における、検出された動きに応じた移動量が小さな表示オブジェクトほど、表示オブジェクトを小さく表示させるための処理が、上記に示す例に限られないことは、言うまでもない。
【０１２７】
例えば上記のように、本実施形態に係る表示制御装置が、検出された動きに応じた移動量が小さな表示オブジェクトほど、表示オブジェクトを小さく表示させることによって、ユーザは、あたかも、表示オブジェクトが異なる表示層に配置されているような感覚を得ることが可能となる。よって、例えば上記のように、本実施形態に係る表示制御装置が、検出された動きに応じた移動量が小さな表示オブジェクトほど、表示オブジェクトを小さく表示させることによって、本実施形態に係る複層表現を実現することができる。
【０１２８】
図１０は、本実施形態に係る表示制御装置における、本実施形態に係る表示制御処理の第５の例を説明するための説明図である。図１０は、表示オブジェクトの複層表現に係る表示制御処理の一例を示しており、本実施形態に係る表示制御装置が、検出された動きに応じた移動量が小さな表示オブジェクトほど、表示オブジェクトを小さく表示させる例を示している。具体的には、図１０は、図１０に示す表示オブジェクトＯ１が、図１０に示す表示オブジェクトＯ２、Ｏ３よりも、小さく表示されている例を示している。
【０１２９】
ここで、図１０では、図２と同様に、本実施形態に係る軸方向がヨー方向である場合を示している。図１０に示すＡ、Ｂ、Ｃは、本実施形態に係る表示装置を装着したユーザの動作を、図１０に示すＡ、Ｂ、Ｃの順で時系列に示しており、図２に示す例と同様に、当該ユーザが首を右方向に回すことによって、ヨー方向の動きが検出される場合を示している。図１０に示すＡ１、Ｂ１、Ｃ１は、表示面を示しており、表示面にアイコン（表示オブジェクトの一例）が表示される例を示している。また、図１０に示すＡ２、Ｂ２、Ｃ２は、本実施形態に係る表示装置の状態を示しており、図１０に示すＡ３、Ｂ３、Ｃ３は、ユーザの状態を示している。
【０１３０】
まず、図１０のＡ１と図１０に示すＢ１とを参照すると、本実施形態に係る表示制御装置は、図１０のＢ３に示すようなユーザの動きに基づく本実施形態に係る表示装置のヨー方向の動きに基づいて、図２に示す例と同様に、各アイコンを、本実施形態に係る基準位置に該当する図１０のＡ１に示す位置から、図１０における左方向（表示装置の動きが検出された軸方向と逆の方向）に移動させる。このとき、本実施形態に係る表示制御装置は、図１０のＡ１と図１０に示すＢ１とに示すように、表示オブジェクトＯ２、Ｏ３よりも、より小さく表示された表示オブジェクトＯ１の移動量を小さくする。
【０１３１】
次に、図１０のＢ１と図１０に示すＣ１とを参照すると、本実施形態に係る表示制御装置は、図２に示す例と同様に、本実施形態に係る基準位置に該当する図１０のＡ１に示す位置から、図１０のＢ１に示す位置（移動後の位置）に移動させたアイコンを、図１０のＢ１に示す位置（移動後の位置）から本実施形態に係る基準位置に該当する図１０のＣ１に示す位置（図１０のＡ１に対応する位置）へと移動させる。
【０１３２】
例えば図１０に示すように、本実施形態に係る表示制御装置が、検出された動きに応じた移動量が小さな表示オブジェクトほど、表示オブジェクトを小さく表示させることによって、ユーザは、あたかも、表示オブジェクトが異なる表示層に配置されているような感覚を得ることが可能となる。よって、例えば図１０に示すように、本実施形態に係る表示制御装置が、検出された動きに応じた移動量が小さな表示オブジェクトほど、表示オブジェクトを小さく表示させることによって、本実施形態に係る複層表現を実現することができる。
【０１３３】
（５−３）本実施形態に係る第５の例に係る表示制御処理の第３の例
本実施形態に係る表示制御装置は、例えば、検出された動きに応じた移動量が小さな表示オブジェクトほど、表示オブジェクトの透過度を高くしてもよい。
【０１３４】
また、本実施形態に係る表示制御装置は、反対に、検出された動きに応じた移動量が大きな表示オブジェクトほど、表示オブジェクトの透過度を低くすることも可能である。以下では、本実施形態に係る表示制御装置が、検出された動きに応じた移動量が小さな表示オブジェクトほど、表示オブジェクトの透過度を高くする場合を例に挙げて、本実施形態に係る第５の例に係る表示制御処理の第３の例について説明する。なお、本実施形態に係る表示制御装置は、例えば、下記に示す“検出された動きに応じた移動量が小さな表示オブジェクトほど、表示オブジェクトの透過度を高くする場合に係る処理”と同様の処理を行うことによって、検出された動きに応じた移動量が大きな表示オブジェクトほど、表示オブジェクトの透過度を低くすることを実現することが可能である。
【０１３５】
本実施形態に係る表示制御装置は、例えば、移動量と、表示オブジェクトの透過率とが対応付けられたテーブルなどを用いることによって、検出された動きに応じた移動量が小さな表示オブジェクトほど、表示オブジェクトの透過度を高く表示させる。なお、本実施形態に係る表示制御装置における、検出された動きに応じた移動量が小さな表示オブジェクトほど、表示オブジェクトの透過度を高く表示させるための処理が、上記に示す例に限られないことは、言うまでもない。
【０１３６】
例えば上記のように、本実施形態に係る表示制御装置が、検出された動きに応じた移動量が小さな表示オブジェクトほど、表示オブジェクトの透過度を高く表示させることによって、ユーザは、あたかも、表示オブジェクトが異なる表示層に配置されているような感覚を得ることが可能となる。よって、例えば上記のように、本実施形態に係る表示制御装置が、検出された動きに応じた移動量が小さな表示オブジェクトほど、表示オブジェクトの透過度を高く表示させることによって、本実施形態に係る複層表現を実現することができる。
【０１３７】
（５−４）本実施形態に係る第５の例に係る表示制御処理の第４の例
本実施形態に係る表示オブジェクトは、検出された動きに応じた移動が許可される表示オブジェクト（以下、「第１表示オブジェクト」と示す場合がある。）に限られず、本実施形態に係る表示オブジェクトには、例えば、検出された動きに応じた移動が許可されない表示オブジェクト（以下、「第２表示オブジェクト」と示す場合がある。）が含まれていてもよい。
【０１３８】
本実施形態に係る第１表示オブジェクトとしては、例えば、ローカル空間（本実施形態に係る表示装置を装着したユーザの向きとともに移動する座標系）に割り当てられた表示オブジェクトが挙げられる。具体例を挙げると、本実施形態に係る第１表示オブジェクトとしては、例えば、ユーザが操作可能な操作系の表示オブジェクトが挙げられる。
【０１３９】
ここで、本実施形態に係る第１表示オブジェクトの位置を示す、ローカル空間における座標は、例えば、本実施形態に係る表示装置が備える、本実施形態に係る表示装置の動きを検出することが可能なセンサから取得される検出データに基づき算出される、本実施形態に係る表示装置の相対角度（例えば、本実施形態に係る表示装置が、一定時間に何度動いたかを示す角度）や、取得される検出データが示す加速度によって、得られる。
【０１４０】
また、本実施形態に係る第２表示オブジェクトとしては、例えば、グローバル空間（本実施形態に係る表示装置を装着したユーザの向きによって変わらない座標系）に割り当てられている表示オブジェクトが挙げられる。具体例を挙げると、本実施形態に係る第２表示オブジェクトとしては、例えば、物体認識用のマーカーの役目を果たす表示オブジェクトが挙げられる。
【０１４１】
ここで、本実施形態に係る第２表示オブジェクトの位置を示す、グローバル空間における座標は、例えば、絶対角度（方位）の情報（データ）、ＧＰＳ（Global  Positioning  System）により得られる位置情報（データ）、撮像画像（例えば、本実施形態に係る表示装置を装着したユーザの前方を撮像した撮像画像や、当該ユーザの動きを撮像した撮像画像など）によって、得られる。
【０１４２】
上記のように、本実施形態に係る表示オブジェクトに、第１表示オブジェクトと第２表示オブジェクトとが含まれるときには、本実施形態に係る表示装置の動きが検出された場合には、本実施形態に係る表示制御装置は、例えば、第１表示オブジェクトを検出された動きに応じて移動させ、第２表示オブジェクトは移動させない。
【０１４３】
例えば上記のように、本実施形態に係る表示制御装置が、第１表示オブジェクトを検出された動きに応じて移動させ、第２表示オブジェクトは移動させないことによって、ユーザは、あたかも、表示オブジェクトが異なる表示層に配置されているような感覚を得ることが可能となる。よって、例えば上記のように、本実施形態に係る表示制御装置が、第１表示オブジェクトを検出された動きに応じて移動させ、第２表示オブジェクトは移動させないことによって、本実施形態に係る複層表現を実現することができる。
【０１４４】
図１１は、本実施形態に係る表示制御装置における、本実施形態に係る表示制御処理の第５の例を説明するための説明図である。図１１は、表示オブジェクトの複層表現に係る表示制御処理の他の例を示しており、本実施形態に係る表示制御装置が、第１表示オブジェクトを検出された動きに応じて移動させ、第２表示オブジェクトは移動させない場合の例を示している。具体的には、図１１では、図１１に示す表示オブジェクトＯ１が、グローバル空間（本実施形態に係る表示装置を装着したユーザの向きによって変わらない座標系）に割り当てられている表示オブジェクトである、第２表示オブジェクトに該当する例を示している。また、図１１では、図１１に示す表示オブジェクトＯ２、Ｏ３が、ローカル空間（本実施形態に係る表示装置を装着したユーザの向きとともに移動する座標系）に割り当てられた表示オブジェクトである、第１表示オブジェクトに該当する例を示している。
【０１４５】
ここで、図１１では、図２と同様に、本実施形態に係る軸方向がヨー方向である場合を示している。図１１に示すＡ、Ｂ、Ｃは、本実施形態に係る表示装置を装着したユーザの動作を、図１１に示すＡ、Ｂ、Ｃの順で時系列に示しており、図２に示す例と同様に、当該ユーザが首を右方向に回すことによって、ヨー方向の動きが検出される場合を示している。図１１に示すＡ１、Ｂ１、Ｃ１は、表示面を示しており、表示面にアイコン（表示オブジェクトの一例）が表示される例を示している。また、図１１に示すＡ２、Ｂ２、Ｃ２は、本実施形態に係る表示装置の状態を示しており、図１１に示すＡ３、Ｂ３、Ｃ３は、ユーザの状態を示している。
【０１４６】
まず、図１１のＡ１と図１０に示すＢ１とを参照する。第１表示オブジェクトである表示オブジェクトＯ２、Ｏ２については、本実施形態に係る表示制御装置は、図１１のＢ３に示すようなユーザの動きに基づく本実施形態に係る表示装置のヨー方向の動きに基づいて、表示オブジェクトＯ２、Ｏ２を、図１１に示す例と同様に、本実施形態に係る基準位置に該当する図１１のＡ１に示す位置から、図１１における左方向（表示装置の動きが検出された軸方向と逆の方向）に移動させる。このとき、第２表示オブジェクトである表示オブジェクトＯ１については、本実施形態に係る表示制御装置は、設定されているグローバル空間における座標から移動させない。
【０１４７】
次に、図１１のＢ１と図１１に示すＣ１とを参照する。第１表示オブジェクトである表示オブジェクトＯ２、Ｏ２については、本実施形態に係る表示制御装置は、図２に示す例と同様に、本実施形態に係る基準位置に該当する図１０のＡ１に示す位置から、図１１のＢ１に示す位置（移動後の位置）に移動させた表示オブジェクトＯ２、Ｏ２を、図１１のＢ１に示す位置（移動後の位置）から本実施形態に係る基準位置に該当する図１１のＣ１に示す位置（図１１のＡ１に対応する位置）へと移動させる。このとき、第２表示オブジェクトである表示オブジェクトＯ１については、本実施形態に係る表示制御装置は、設定されているグローバル空間における座標から移動させない。
【０１４８】
例えば図１１に示すように、本実施形態に係る表示制御装置が、第１表示オブジェクトを検出された動きに応じて移動させ、第２表示オブジェクトは移動させないことによって、本実施形態に係る表示装置を装着したユーザは、あたかも、表示オブジェクトが異なる表示層に配置されているような感覚を得ることが可能となる。よって、例えば図１１に示すように、本実施形態に係る表示制御装置が、第１表示オブジェクトを検出された動きに応じて移動させ、第２表示オブジェクトは移動させないことによって、本実施形態に係る複層表現を実現することができる。
【０１４９】
（６）本実施形態に係る表示制御処理の第６の例
本実施形態に係る表示制御処理は、上記（１）に示す第１の例に係る表示制御処理〜上記（５）に示す第５の例に係る表示制御処理に限られない。例えば、本実施形態に係る表示制御装置は、表示オブジェクトを、所定の条件が満たされた場合に表示させることも可能である。ここで、上記所定の条件としては、例えば、新規のメール着信があったこと（メールアプリケーションに対応するアイコンの場合）など、何らかのイベントが発生したことが挙げられる。
【０１５０】
本実施形態に係る表示制御装置は、例えば、表示オブジェクトの透過度や、サイズ、視差に係る輻輳距離などを変えながら、表示オブジェクトを表示させる。表示オブジェクトの透過度を変える場合、本実施形態に係る表示制御装置は、例えば、透過度が高い状態から透過度が低い状態へと変化させながら表示オブジェクトを表示させる。また、表示オブジェクトのサイズを変える場合、本実施形態に係る表示制御装置は、例えば、サイズを小さい状態から大きい状態へと変化させながら表示オブジェクトを表示させる。また、輻輳距離を変える場合、本実施形態に係る表示制御装置は、例えば、輻輳距離を、本実施形態に係る表示装置を装着しているユーザの遠方に調整されている状態から、当該ユーザの近傍に調整される状態へと変化させながら表示オブジェクトを表示させる。
【０１５１】
図１２は、本実施形態に係る表示制御装置における、本実施形態に係る表示制御処理の第６の例を説明するための説明図である。図１２に示すＡ、Ｂ、Ｃ、Ｄは、表示面の状態を、図１２に示すＡ、Ｂ、Ｃ、Ｄの順で時系列に示している。図１２に示すＡ１、Ｂ１、Ｃ１、Ｄ１は、表示面を示しており、表示面にアイコン（表示オブジェクトの一例）が表示される例を示している。また、図１２に示すＡ２、Ｂ２、Ｃ２、Ｄ２は、本実施形態に係る表示装置の状態を示しており、図１２に示すＡ３、Ｂ３、Ｃ３、Ｄ３は、ユーザの状態を示している。
【０１５２】
例えば、図１２のＡ１、Ｂ１、Ｃ１、Ｄ１に示すように、本実施形態に係る表示制御装置は、アイコンを、透過度とサイズとを変えながら表示させる。例えば図１２のＡ１、Ｂ１、Ｃ１、Ｄ１に示すようにアイコンを表示させることによって、所定の条件が満たされた場合に、何も出ていなかった表示面にアイコンがフワっと湧き出てくる感じを、本実施形態に係る表示装置を装着しているユーザに感じさせることが可能となる。
【０１５３】
（７）本実施形態に係る表示制御処理の第７の例：本実施形態に係る軸方向が、本実施形態に係る表示装置を装着したユーザにおける前後方向である場合における処理の一例
上述したように、本実施形態に係る軸方向は、ヨー方向、ピッチ方向、ロール方向に限られず、本実施形態に係る表示装置を装着したユーザにおける前後方向が含まれていてもよい。動きが検出される本実施形態に係る軸方向が、本実施形態に係る表示装置を装着したユーザにおける前後方向である場合には、本実施形態に係る表示制御装置は、検出された動きに応じて表示オブジェクトの表示サイズを、基準サイズから変更する。
【０１５４】
図１３は、本実施形態に係る表示制御装置における、本実施形態に係る表示制御処理の第７の例を説明するための説明図であり、本実施形態に係る軸方向が、本実施形態に係る表示装置を装着したユーザにおける前後方向である場合における処理の一例を示している。図１３に示すＡ、Ｂ、Ｃ、Ｄは、本実施形態に係る表示装置を装着したユーザの動作を、図１３に示すＡ、Ｂ、Ｃ、Ｄの順で時系列に示しており、当該ユーザが前方に進むことによって、当該ユーザにおける前後方向の動きが検出される場合を示している。本実施形態に係る表示制御装置は、例えば、加速度センサ（本実施形態に係る表示装置の動きを検出することが可能なセンサの一例）から取得される検出データに基づいて、本実施形態に係る表示装置を装着したユーザにおける前後方向の動きを検出する。図１３に示すＡ１、Ｂ１、Ｃ１、Ｄ１は、ユーザの状態を示している。また、図１３に示すＡ２、Ｂ２、Ｃ２、Ｄ２は、表示面を示しており、表示面にアイコン（表示オブジェクトの一例）が表示される例を示している。ここで、図１３に示す例では、図１３のＡ２に示すアイコンの表示サイズは、アイコンの基準サイズに該当する。
【０１５５】
例えば、図１３のＡ２、Ｂ２、Ｃ２、Ｄ２に示すように、本実施形態に係る表示装置を装着したユーザが前方に進むと、本実施形態に係る表示制御装置は、例えば、アイコンの表示サイズを基準サイズよりも大きくし、輻輳距離を変える。例えば図１３のＡ２、Ｂ２、Ｃ２、Ｄ２に示すようにアイコンを表示させることによって、アイコンが近づいてくる感じを、本実施形態に係る表示装置を装着しているユーザに感じさせることが可能となる。
【０１５６】
なお、第７の例に係る表示制御処理により実現される表現は、図１３に示す例に限られない。
【０１５７】
例えば、本実施形態に係る表示制御装置は、表示オブジェクトの表示サイズが変更されると、変更された表示オブジェクトの表示サイズを、基準サイズに変更してもよい。上記のような処理がさらに行われる場合には、アイコンの表示サイズは、一旦大きくなった後に、表示サイズを大きくする前の元の表示サイズ（基準サイズ）に戻ることとなる。
【０１５８】
（８）本実施形態に係る表示制御処理の第８の例
例えば、表示オブジェクトが、本実施形態に係る表示装置を装着したユーザの周囲を取り囲むように配置されている場合、表示面に表示されている表示オブジェクトが、端に配置されている表示オブジェクトであるか否かを、当該ユーザが認識できないことも起こりうる。
【０１５９】
そこで、本実施形態に係る表示制御装置は、例えば、表示オブジェクトが配置される位置と、検出された本実施形態に係る表示装置の動きとに基づいて、表示オブジェクト間の間隔を変えてもよい。本実施形態に係る表示制御装置は、例えば、表示オブジェクトの位置が、端に配置されている表示オブジェクトに対応する位置である場合に、表示オブジェクト間の間隔を変える。
【０１６０】
ここで、第８の例に係る表示制御処理における、上記表示オブジェクトが配置される位置は、例えば、グローバル空間（本実施形態に係る表示装置を装着したユーザの向きによって変わらない座標系）における座標で表される。
【０１６１】
また、表示オブジェクト間の間隔を変える方法としては、例えば、表示オブジェクト間の間隔を、検出された動きに応じて大きくすることが挙げられる。
【０１６２】
例えば、上記のように、本実施形態に係る表示制御装置が表示オブジェクト間の間隔を変えることによって、本実施形態に係る表示装置を装着したユーザは、表示面に表示されている表示オブジェクトが、端に配置されている表示オブジェクトであることを、視覚的に認識することが可能となる。
【０１６３】
図１４は、本実施形態に係る表示制御装置における、本実施形態に係る表示制御処理の第８の例を説明するための説明図である。図１４は、表示オブジェクト間の間隔を変える表現に係る表示制御処理の一例を示しており、本実施形態に係る表示制御装置が、表示オブジェクトの位置が、端に配置されている表示オブジェクトに対応する位置である場合に、表示オブジェクト間の間隔を変える例を示している。具体的には、図１４は、図１４に示す表示オブジェクトＯ１が、端に配置されている表示オブジェクトである例を示している。
【０１６４】
ここで、図１４では、図２と同様に、本実施形態に係る軸方向がヨー方向である場合を示している。図１４に示すＡ、Ｂ、Ｃは、本実施形態に係る表示装置を装着したユーザの動作を、図１４に示すＡ、Ｂ、Ｃの順で時系列に示しており、図２に示す例と同様に、当該ユーザが首を右方向に回すことによって、ヨー方向の動きが検出される場合を示している。図１４に示すＡ１、Ｂ１、Ｃ１は、表示面を示しており、表示面にアイコン（表示オブジェクトの一例）が表示される例を示している。また、図１４に示すＡ２、Ｂ２、Ｃ２は、本実施形態に係る表示装置の状態を示しており、図１４に示すＡ３、Ｂ３、Ｃ３は、ユーザの状態を示している。
【０１６５】
例えば、図１４のＡ１、Ｂ１、Ｃ１に示すように、本実施形態に係る表示制御装置は、端に配置されている表示オブジェクトである表示オブジェクトＯ１と、他の表示オブジェクトＯ１、Ｏ２との間隔が、より大きくなるように表示させる。例えば図１４のＡ１、Ｂ１、Ｃ１に示すように本実施形態に係る表示制御装置が表示オブジェクト間の間隔を変えることによって、本実施形態に係る表示装置を装着したユーザは、表示面に表示されている表示オブジェクトが、端に配置されている表示オブジェクトであることを、視覚的に認識することが可能となる。
【０１６６】
（９）本実施形態に係る表示制御処理の第９の例
本実施形態に係る表示制御装置は、例えば、表示面に表示オブジェクトを表示させる場合に、表示面の周囲に枠を表示させない。また、例えば、表示面の端部分に表示される表示オブジェクトが存在する場合には、本実施形態に係る表示制御装置は、表示面の端部分の透過度を変えることなどによって、表示オブジェクトのフェードアウト表現を、さらに行ってもよい。
【０１６７】
例えば、上記のように、表示面の周囲に枠を表示させないことや、さらに表示オブジェクトのフェードアウト表現を行うことによって、本実施形態に係る表示制御装置は、あたかも、表示オブジェクトが空中に浮いているような浮遊感を、本実施形態に係る表示装置を装着したユーザに対して与えることが、可能となる。
【０１６８】
図１５は、本実施形態に係る表示制御装置における、本実施形態に係る表示制御処理の第９の例を説明するための説明図であり、表示オブジェクトが空中に浮いているような浮遊感を表現することが可能な表示制御処理の一例を示している。図１５は、表示面に表示される表示オブジェクトの一例を示している。
【０１６９】
例えば、図１５に示すように、本実施形態に係る表示制御装置は、表示面の周囲に枠を表示させない。また、図１５に示す表示オブジェクトＯ１、Ｏ２に示すように、本実施形態に係る表示制御装置は、表示面の端部分の透過度をより高くすることによって、表示面の端部分の透過度を変える。本実施形態に係る表示制御装置が、例えば図１５に示すような表現で表示オブジェクトを表示面に表示させることによって、本実施形態に係る表示制御装置は、あたかも、表示オブジェクトが空中に浮いているような浮遊感を、本実施形態に係る表示装置を装着したユーザに対して与えることが、可能となる。
【０１７０】
（１０）本実施形態に係る表示制御処理の第１０の例
上記では、本実施形態に係る表示制御装置が、検出された本実施形態に係る表示装置の動きに基づいて表示オブジェクトを移動させる表示制御処理を、主に示した。しかしながら、本実施形態に係る表示制御装置における表示制御処理は、検出された鵜時に基づいて表示オブジェクトを移動させる処理に限られない。
【０１７１】
例えば、本実施形態に係る表示制御装置は、本実施形態に係る表示装置の動きが所定の時間検出されない場合には、表示オブジェクトを、本実施形態に係る表示装置の動きによらずに移動させてもよい。本実施形態に係る表示装置の動きによらずに表示オブジェクトを移動させる方法としては、例えば、本実施形態に係る表示制御装置が、表示オブジェクトを、基準位置を中心としてランダムに移動させることが挙げられる。ここで、第１０の例に係る表示制御処理に係る、上記所定の時間としては、例えば、予め設定されている固定の時間や、ユーザ操作などにより設定可能な可変の時間が挙げられる。
【０１７２】
本実施形態に係る表示制御装置が、本実施形態に係る表示装置の動きが所定の時間検出されないときに、例えば上記のように、表示オブジェクトを本実施形態に係る表示装置の動きによらずに移動させることによって、本実施形態に係る表示制御装置は、例えば、本実施形態に係る表示装置を装着したユーザが所定の時間操作しない場合に、表示オブジェクトがフワフワと動き出す表現を実現することができる。また、例えば上記のように、表示オブジェクトを本実施形態に係る表示装置の動きによらずに移動させることによって、本実施形態に係る表示制御装置は、例えば、表示オブジェクトが空中に浮いているような浮遊感を、本実施形態に係る表示装置を装着したユーザに対して与えることが、可能となる。
【０１７３】
なお、例えば上記のように、表示オブジェクトを本実施形態に係る表示装置の動きによらずに移動させる場合には、本実施形態に係る表示制御装置は、例えば、音声（音楽も含む）を出力させることによって、ユーザに状態をフィードバックしてもよい。
【０１７４】
また、上記にように本実施形態に係る表示装置の動きによらずに表示オブジェクトを移動させているときに、本実施形態に係る表示装置の動きが検出された場合、本実施形態に係る表示制御装置は、例えば、移動させている表示オブジェクトそれぞれを、基準位置に移動させる。本実施形態に係る表示制御装置が、上記の場合に、移動させている表示オブジェクトそれぞれを基準位置に移動させることによって、本実施形態に係る表示制御装置は、例えば、フワフワと動いていた表示オブジェクトを整列させることができる。
【０１７５】
なお、上記にように本実施形態に係る表示装置の動きによらずに表示オブジェクトを移動させているときに、本実施形態に係る表示装置の動きが検出された場合には、本実施形態に係る表示制御装置は、例えば、音声を出力させることによって、ユーザに状態をフィードバックしてもよい。
【０１７６】
図１６は、本実施形態に係る表示制御装置における、本実施形態に係る表示制御処理の第１０の例を説明するための説明図である。図１６は、本実施形態に係る表示装置の動きが所定の時間検出されない場合に、表示オブジェクトを、本実施形態に係る表示装置の動きによらずに移動させる表現に係る表示制御処理の一例を示している。図１６に示すＡ、Ｂ、Ｃは、表示面の状態を、図１６に示すＡ、Ｂ、Ｃの順で時系列に示している。図１６に示すＡ１、Ｂ１、Ｃ１は、表示面を示しており、表示面にアイコン（表示オブジェクトの一例）が表示される例を示している。また、図１６に示すＡ２、Ｂ２、Ｃ２は、本実施形態に係る表示装置の状態を示しており、図１６に示すＡ３、Ｂ３、Ｃ３は、ユーザの状態を示している。
【０１７７】
例えば、表示面が図１６のＡ１に示すような各アイコンが基準位置に表示されている状態のときに、本実施形態に係る表示装置の動きが所定の時間検出されない場合には、本実施形態に係る表示制御装置は、例えば図１６のＢ１に示すように、本実施形態に係る表示装置の動きによらずアイコンを移動させる。また、例えば、表示面が図１６のＢ１に示す状態のときに、本実施形態に係る表示装置の動きが検出された場合には、本実施形態に係る表示制御装置は、例えば図１６のＣ１に示すように、移動していたアイコンを、基準位置（図１６のＡ１に対応する位置）に移動させる。
【０１７８】
例えば図１６のＢ１に示すようにアイコンを表示させることによって、本実施形態に係る表示制御装置は、例えば、本実施形態に係る表示装置を装着したユーザが所定の時間操作しない場合に、表示オブジェクトがフワフワと動き出す表現を実現することができる。また、例えば図１６のＢ１に示すようにアイコンを表示させることによって、本実施形態に係る表示制御装置は、例えば、表示オブジェクトが空中に浮いているような浮遊感を、本実施形態に係る表示装置を装着したユーザに対して与えることが、可能となる。
【０１７９】
また、例えば図１６のＣ１に示すように、例えば図１６のＢ１に示すように移動していたアイコンを、基準位置に移動させることによって、本実施形態に係る表示制御装置は、例えば、フワフワと動いていた表示オブジェクトを整列させることができる。
【０１８０】
（１１）本実施形態に係る表示制御処理の第１１の例
本実施形態に係る表示制御装置は、上記（１）に示す第１の例に係る表示制御処理〜上記（１０）に示す第１０の例に係る表示制御処理のうちの、２以上の処理をそれぞれ並列に行うことも可能である。つまり、本実施形態に係る表示制御装置は、例えば、上記（１）に示す第１の例に係る表示制御処理〜上記（１０）に示す第１０の例に係る表示制御処理のうちの、２以上の表示制御処理を、組み合わせることができる。
【０１８１】
（本実施形態に係る表示制御装置）
次に、上述した本実施形態に係る表示制御方法に係る処理を行うことが可能な、本実施形態に係る表示制御装置の構成の一例について、説明する。
【０１８２】
図１７は、本実施形態に係る表示制御装置１００の構成の一例を示すブロック図である。表示制御装置１００は、例えば、通信部１０２と、制御部１０４とを備える。
【０１８３】
また、表示制御装置１００は、例えば、ＲＯＭ（Read  Only  Memory。図示せず）や、ＲＡＭ（Random  Access  Memory。図示せず）、記憶部（図示せず）、ユーザが操作可能な操作部（図示せず）、様々な画面を表示画面に表示する表示部（図示せず）などを備えていてもよい。表示制御装置１００は、例えば、データの伝送路としてのバス（bus）により上記各構成要素間を接続する。
【０１８４】
ここで、ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【０１８５】
記憶部（図示せず）は、表示制御装置１００が備える記憶手段であり、例えば、表示オブジェクトを示すデータや、アプリケーションなど様々なデータを記憶する。ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）などの不揮発性メモリ（nonvolatile  memory）などが挙げられる。また、記憶部（図示せず）は、表示制御装置１００から着脱可能であってもよい。
【０１８６】
操作部（図示せず）としては、例えば後述する操作デバイスが挙げられ、また、表示部（図示せず）としては、例えば後述する表示デバイスが挙げられる。
【０１８７】
［表示制御装置１００のハードウェア構成例］
図１８は、本実施形態に係る表示制御装置１００のハードウェア構成の一例を示す説明図である。表示制御装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、表示制御装置１００は、例えば、データの伝送路としてのバス１６６で各構成要素間を接続する。
【０１８８】
ＭＰＵ１５０は、例えば、ＭＰＵや各種処理回路などで構成され、表示制御装置１００全体を制御する制御部１０４として機能する。また、ＭＰＵ１５０は、表示制御装置１００において、例えば、後述する表示制御部１１０の役目を果たす。
【０１８９】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１９０】
記録媒体１５６は、記憶部（図示せず）として機能し、例えば、表示オブジェクトを示すデータや、アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、表示制御装置１００から着脱可能であってもよい。
【０１９１】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、操作入力デバイス１６０は、例えば、表示制御装置１００上に備えられ、表示制御装置１００の内部で入出力インタフェース１５８と接続される。操作入力デバイス１６０としては、例えば、ボタン、方向キー、ジョグダイヤルなどの回転型セレクター、あるいは、これらの組み合わせなどが挙げられる。また、表示デバイス１６２は、例えば、表示制御装置１００上に備えられ、表示制御装置１００の内部で入出力インタフェース１５８と接続される。表示デバイス１６２としては、例えば、液晶ディスプレイ（Liquid  Crystal  Display；ＬＣＤ）や有機ＥＬディスプレイ（Organic  Electro-Luminescence  display。または、ＯＬＥＤディスプレイ（Organic  Light  Emitting  Diode  display）ともよばれる。）などが挙げられる。
【０１９２】
なお、入出力インタフェース１５８が、表示制御装置１００の外部装置としての操作入力デバイス（例えば、キーボードやマウスなど）や、表示デバイスなどの、外部デバイスと接続することもできることは、言うまでもない。また、表示デバイス１６２は、例えばタッチスクリーンなど、表示とユーザ操作とが可能なデバイスであってもよい。
【０１９３】
通信インタフェース１６４は、表示制御装置１００が備える通信手段であり、ネットワークを介して（あるいは、直接的に）、本実施形態に係る表示装置などの外部装置と無線／有線で通信を行うための通信部１０２として機能する。ここで、通信インタフェース１６４としては、例えば、通信アンテナおよびＲＦ回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ端子および送受信回路（有線通信）などが挙げられる。また、本実施形態に係るネットワークとしては、例えば、ＬＡＮやＷＡＮ（Wide  Area  Network）などの有線ネットワーク、無線ＬＡＮ（ＷＬＡＮ；Wireless  Local  Area  Network）や基地局を介した無線ＷＡＮ（ＷＷＡＮ；Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【０１９４】
表示制御装置１００は、例えば図１８に示す構成によって、本実施形態に係る表示制御方法に係る処理を行う。なお、本実施形態に係る表示制御装置１００のハードウェア構成は、図１８に示す構成に限られない。
【０１９５】
例えば、表示制御装置１００は、通信方式が異なる、または、通信方式が同一の、複数の通信インタフェースを備えていてもよい。
【０１９６】
また、例えば、入出力インタフェース１５８などを介して接続される外部通信デバイスを介して、本実施形態に係る表示装置などの外部装置と通信を行う場合には、表示制御装置１００は、通信インタフェース１６４を備えていなくてもよい。
【０１９７】
また、表示制御装置１００は、例えば、スタンドアロンで処理を行う構成である場合（例えば、表示制御装置１００と本実施形態に係る表示装置とが一体の装置である場合）には、通信デバイス１６４を備えていなくてもよい。
【０１９８】
また、表示制御装置１００は、操作デバイス１６０や表示デバイス１６２を備えない構成をとることも可能である。
【０１９９】
再度図１７を参照して、表示制御装置１００の構成の一例について説明する。通信部１０２は、表示制御装置１００が備える通信手段であり、ネットワークを介して（あるいは、直接的に）、本実施形態に係る表示装置などの外部装置と無線／有線で通信を行う。また、通信部１０２は、例えば制御部１０４により通信が制御される。
【０２００】
ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路など、通信を行うことが可能な任意の規格に対応する構成や、ネットワークを介して外部装置と通信可能な任意の構成をとることができる。
【０２０１】
制御部１０４は、例えばＭＰＵなどで構成され、表示制御装置１００全体を制御する役目を果たす。また、制御部１０４は、例えば、表示制御部１１０を備え、本実施形態に係る表示制御方法に係る処理を主導的に行う役目を果たす。
【０２０２】
表示制御部１１０は、本実施形態に係る表示制御処理を主導的に行う役目を果たし、本実施形態に係る表示装置（ユーザの前方に表示面が位置するようにユーザに装着される表示装置）における、表示面に表示される表示オブジェクトの表示を制御する。表示制御部１１０は、例えば、表示面に表示される表示オブジェクトを、表示オブジェクトに対応する基準位置から、表示装置の動きに応じて移動させて表示させ、移動させた表示オブジェクトを、移動後の位置から基準位置へと移動させて表示させる。
【０２０３】
より具体的には、表示制御部１１０は、例えば、上記（１）に示す第１の例に係る表示制御処理〜上記（１１）に示す第１１の例に係る表示制御処理のうちの、いずれかの処理を行う。
【０２０４】
ここで、表示制御装置１００と本実施形態に係る表示装置とが別体の装置である場合には、表示制御部１１０は、例えば、通信部１０２（または、接続されている外部通信デバイス。以下、同様とする。）を介して、本実施形態に係る表示装置と通信を行って、本実施形態に係る表示制御処理を行う。上記の場合、表示制御部１１０は、例えば、通信部１０２に、処理結果に対応する表示制御信号（例えば、表示オブジェクトを示すデータや、表示させる位置を示すデータ、表示制御命令などを含む信号）を、本実施形態に係る表示装置に対して送信させることによって、本実施形態に係る表示装置における表示オブジェクトの表示を制御する。
【０２０５】
また、表示制御装置１００と本実施形態に係る表示装置とが一体の装置である場合には、表示制御部１１０は、例えば、本実施形態に係る表示制御処理を行い、処理結果に対応する表示制御信号を、表示制御装置１００が備える表示部（図示せず）に伝達することによって、本実施形態に係る表示装置における表示オブジェクトの表示を制御する。
【０２０６】
制御部１０４は、例えば、表示制御部１１０を備えることによって、本実施形態に係る表示制御方法に係る処理を主導的に行う。
【０２０７】
表示制御装置１００は、例えば図１７に示す構成によって、本実施形態に係る表示制御方法に係る処理（例えば上記表示制御処理）を行う。したがって、表示制御装置１００は、例えば図１７に示す構成によって、ユーザに不快感を与える可能性を低減することができる。また、表示制御装置１００は、例えば図１７に示す構成によって、上記（１）に示す第１の例に係る表示制御処理〜上記（１１）に示す第１１の例に係る表示制御処理それぞれが奏する効果を奏することができる。
【０２０８】
なお、本実施形態に係る表示制御装置の構成は、図１７に示す構成に限られない。
【０２０９】
例えば、本実施形態に係る表示制御装置は、図１７に示す表示制御部１１０を個別に備える（例えば、表示制御部１１０を、制御部１０４とは別体の処理回路で実現する）ことができる。
【０２１０】
また、本実施形態に係る表示制御装置は、例えば、スタンドアロンで処理を行う構成である場合（例えば、本実施形態に係る表示装置と一体の装置である場合など）や、接続される外部通信デバイスを介して、本実施形態に係る表示装置などの外部装置と通信を行う場合には、通信部１０２を備えていなくてもよい。
【０２１１】
以上のように、本実施形態に係る表示制御装置は、本実施形態に係る表示制御方法に係る処理として、例えば、上記表示制御処理を行う。ここで、本実施形態に係る表示制御装置は、検出された本実施形態に係る表示装置の動きに基づいて、表示オブジェクトを動かす。よって、本実施形態に係る表示制御装置が、本実施形態に係る表示制御処理を行うことによって、表示オブジェクトが常に表示面の固定した位置に表示される場合のような、視界が遮られているような不快感をユーザに与えてしまう可能性は、低減される。
【０２１２】
したがって、本実施形態に係る表示制御装置は、ユーザに不快感を与える可能性を低減することができる。
【０２１３】
また、本実施形態に係る表示制御装置が、本実施形態に係る表示制御方法に係る処理として、例えば、上記（１）に示す第１の例に係る表示制御処理〜上記（１１）に示す第１１の例に係る表示制御処理のいずれかの処理を行う場合には、さらに、それぞれの表示制御処理が奏する効果を奏することができる。
【０２１４】
さらに、本実施形態に係る表示制御装置が、本実施形態に係る表示制御方法に係る処理として、例えば、上記（１）に示す第１の例に係る表示制御処理〜上記（１１）に示す第１１の例に係る表示制御処理のいずれかの処理を行う場合には、本実施形態に係る表示制御装置は、例えば、本実施形態に係る表示装置を装着しているユーザの動きに基づき検出される、本実施形態に係る表示装置の動きに応じて、表示オブジェクトの動きを変えることができる。よって、本実施形態に係る表示制御装置は、例えば、本実施形態に係る表示装置を装着しているユーザに対して、表示オブジェクトが空間に浮遊していたり、表示オブジェクトが空間に張り付いているような感覚を与えることが可能である。
【０２１５】
したがって、本実施形態に係る表示制御装置は、ユーザに不快感を与える可能性を低減することができると共に、より心地よいＧＵＩ（Graphical  User  Interface）を当該ユーザに対して提供することができる。
【０２１６】
以上、本実施形態として表示装置を挙げて説明したが、本実施形態は、かかる形態に限られない。本実施形態は、例えば、ＨＭＤや、片眼鏡（モノクル）型の装置など、“ユーザの前方に表示面が位置する構成を有する、任意の形状の装置”に適用することが可能である。
【０２１７】
また、本実施形態として表示制御装置を挙げて説明したが、本実施形態は、かかる形態に限られない。本実施形態は、例えば、携帯電話やスマートフォンなどの通信装置や、映像／音楽再生装置（または映像／音楽記録再生装置）、ゲーム機、ＰＣ（Personal  Computer）やサーバなどのコンピュータなど、様々な機器に適用することができる。また、本実施形態は、例えば、本実施形態に係る表示装置に適用することも可能である。さらに、本実施形態は、例えば、上記のような機器や本実施形態に係る表示装置に組み込むことが可能な、処理ＩＣ（Integrated  Circuit）に適用することもできる。
【０２１８】
（本実施形態に係るプログラム）
コンピュータを、本実施形態に係る表示制御装置として機能させるためのプログラム（例えば、本実施形態に係る表示制御処理など、本実施形態に係る表示制御方法に係る処理を実行することが可能なプログラム）が、コンピュータにおいて実行されることによって、ユーザに不快感を与える可能性を低減することができる。
【０２１９】
また、コンピュータを、本実施形態に係る表示制御装置として機能させるためのプログラム（例えば、上記（１）に示す第１の例に係る表示制御処理〜上記（１１）に示す第１１の例に係る表示制御処理のいずれかの処理を行うことが可能なプログラム）が、コンピュータにおいて実行されることによって、上記（１）に示す第１の例に係る表示制御処理〜上記（１１）に示す第１１の例に係る表示制御処理それぞれが奏する効果を奏することができる。
【０２２０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２２１】
例えば、上記では、コンピュータを、本実施形態に係る表示制御装置として機能させるためのプログラム（コンピュータプログラム）が提供されることを示したが、本実施形態は、さらに、上記プログラムを記憶させた記録媒体も併せて提供することができる。
【０２２２】
上述した構成は、本実施形態の一例を示すものであり、当然に、本開示の技術的範囲に属するものである。
【０２２３】
なお、以下のような構成も本開示の技術的範囲に属する。
（１）
ユーザの前方に表示オブジェクトを表示することが可能な表示面が位置するように前記ユーザに装着される表示装置における、前記表示面に表示される表示オブジェクトの表示を制御する表示制御部を備え、
前記表示制御部は、
前記表示面に表示される表示オブジェクトを、前記表示オブジェクトに対応する基準位置から、前記表示装置の動きに応じて移動させて表示させ、
移動させた前記表示オブジェクトを、移動後の位置から前記基準位置へと移動させて表示させる、表示制御装置。
（２）
前記表示制御部は、
前記表示面に表示される表示オブジェクトを、前記基準位置から、前記表示装置の動きが検出された軸方向と逆の方向に移動させて表示させ、
移動させた前記表示オブジェクトを、移動後の位置から前記基準位置へと移動させて表示させる、（１）に記載の表示制御装置。
（３）
動きが検出される前記軸方向は、ヨー方向、ピッチ方向、ロール方向であり、
前記表示制御部は、前記軸方向ごとの設定に基づいて、移動させた前記表示オブジェクトを、前記軸方向ごとに選択的に前記移動後の位置から前記基準位置へと移動させる、（２）に記載の表示制御装置。
（４）
前記表示制御部は、動きが検出された前記軸方向が前記ロール方向である場合には、移動させた前記表示オブジェクトを、前記移動後の位置から前記基準位置へと移動させない、（３）に記載の表示制御装置。
（５）
動きが検出される前記軸方向が、ロール方向である場合、
前記表示制御部は、
検出された動きによる、傾き方向と傾き量とを算出し、
前記表示オブジェクトを、算出された傾き方向とは反対方向に、算出された傾き量分回転させて、前記表示オブジェクトを移動させる、（４）に記載の表示制御装置。
（６）
前記表示制御部は、前記表示オブジェクトを移動させる場合、前記基準位置、算出された前記傾き量のうちの、一方、または、双方に基づいて、前記表示オブジェクトを移動させる速度を変える、（５）に記載の表示制御装置。
（７）
動きが検出される前記軸方向が、ヨー方向、または、ピッチ方向である場合、
前記表示制御部は、
検出された動きによる、動き方向と動き量を算出し、
前記表示オブジェクトを、前記基準位置から、算出された動き方向とは反対方向に、算出された動き量分移動させて、前記表示オブジェクトを移動させ、
前記表示オブジェクトが算出された動き量分移動されると、移動後の位置から前記基準位置へと、前記表示オブジェクトを移動させる、（２）〜（６）のいずれか１つに記載の表示制御装置。
（８）
前記表示制御部は、算出された前記動き量と、所定の閾値とを比較し、比較結果に応じて前記表示オブジェクトを移動させる、（７）に記載の表示制御装置。
（９）
前記表示制御部は、前記表示オブジェクトを移動させる場合、前記基準位置、前記表示オブジェクトが表示される位置、算出された前記動き量のうちの、１または２以上に基づいて、前記表示オブジェクトを移動させる速度を変える、（７）、または（８）に記載の表示制御装置。
（１０）
前記表示制御部は、前記表示オブジェクトを移動させる速度を、設定されている重み付け係数により調整する、（６）、または（９）に記載の表示制御装置。
（１１）
前記表示制御部は、表示オブジェクトごとに、検出された動きに応じて前記表示オブジェクトが移動する移動量を変える、（１）〜（１０）のいずれか１つに記載の表示制御装置。
（１２）
前記表示制御部は、前記表示オブジェクトに設定されている属性に基づいて、表示オブジェクトごとに、検出された動きに応じて前記表示オブジェクトが移動する移動量を変える、（１１）に記載の表示制御装置。
（１３）
前記表示制御部は、検出された動きに応じた前記移動量が小さな表示オブジェクトほど、前記表示オブジェクトを小さく表示させる、（１１）、または（１２）に記載の表示制御装置。
（１４）
前記表示制御部は、検出された動きに応じた前記移動量が小さな表示オブジェクトほど、前記表示オブジェクトの透過度を高くする、（１１）〜（１３）のいずれか１つに記載の表示制御装置。
（１５）
前記表示オブジェクトには、検出された動きに応じた移動が許可される第１表示オブジェクトと、検出された動きに応じた移動が許可されない第２表示オブジェクトとが含まれ、
動きが検出された場合、
前記表示制御部は、前記第１表示オブジェクトを検出された動きに応じて移動させ、前記第２表示オブジェクトは移動させない、（１）〜（１４）のいずれか１つに記載の表示制御装置。
（１６）
動きが検出される前記軸方向は、前記表示装置を装着した前記ユーザにおける前後方向を含み、
前記表示制御部は、動きが検出された前記軸方向が前記ユーザにおける前後方向である場合には、検出された動きに応じて前記表示オブジェクトの表示サイズを、基準サイズから変更する、（２）〜（１５）のいずれか１つに記載の表示制御装置。
（１７）
前記表示制御部は、前記表示オブジェクトの表示サイズが変更されると、変更された前記表示オブジェクトの表示サイズを、前記基準サイズに変更する、（１６）に記載の表示制御装置。
（１８）
前記表示制御部は、前記表示オブジェクトが配置される位置と、検出された動きとに基づいて、前記表示オブジェクト間の間隔を変える、（１）〜（１７）のいずれか１つに記載の表示制御装置。
（１９）
ユーザの前方に表示オブジェクトを表示することが可能な表示面が位置するように前記ユーザに装着される表示装置における、前記表示面に表示される表示オブジェクトの表示を制御するステップを有し、
前記制御するステップでは、
前記表示面に表示される表示オブジェクトを、前記表示オブジェクトに対応する基準位置から、前記表示装置の動きに応じて移動させて表示させ、
移動させた前記表示オブジェクトを、移動後の位置から前記基準位置へと移動させて表示させる、表示制御方法。
（２０）
ユーザの前方に表示オブジェクトを表示することが可能な表示面が位置するように前記ユーザに装着される表示装置における、前記表示面に表示される表示オブジェクトの表示を制御するステップを、コンピュータに実行させ、
前記制御するステップでは、
前記表示面に表示される表示オブジェクトを、前記表示オブジェクトに対応する基準位置から、前記表示装置の動きに応じて移動させて表示させ、
移動させた前記表示オブジェクトを、移動後の位置から前記基準位置へと移動させて表示させる、プログラム。
【符号の説明】
【０２２４】
１０    表示部
１２    テンプル部材
１４    ブリッジ部材
１６    モダン部材
１８    パッド部材
１００    表示制御装置
１０２    通信部
１０４    制御部
１１０    表示制御部
【図１】
2014197066.tif 000003
【図２】
2014197066.tif 000004
【図３】
2014197066.tif 000005
【図４】
2014197066.tif 000006
【図５】
2014197066.tif 000007
【図６】
2014197066.tif 000008
【図７】
2014197066.tif 000009
【図８】
2014197066.tif 000010
【図９】
2014197066.tif 000011
【図１０】
2014197066.tif 000012
【図１１】
2014197066.tif 000013
【図１２】
2014197066.tif 000014
【図１３】
2014197066.tif 000015
【図１４】
2014197066.tif 000016
【図１５】
2014197066.tif 000017
【図１６】
2014197066.tif 000018
【図１７】
2014197066.tif 000019
【図１８】
2014197066.tif 000020